(57)【要約】  マシン−マシン（Ｍ２Ｍ）無線ワイドエリアネットワーク（ＷＡＮ）における無線通信を管理するための方法、システム、及びデバイスが説明される。第１のページングチャネルを用いて第１のデータレートでＭ２Ｍ無線において第１のページングメッセージが送信される。第１のイベントの発生が検出される。第１のイベントの発生に少なくとも部分的に基づいて、第２のページングメッセージが送信される。第２のページングメッセージは、第２のページングチャネルを用いて第２のデータレートで送信される。第２のページングチャネルは、第１のページングチャネルと異なる。
2015533467.tif 000002
【特許請求の範囲】
【請求項１】
マシン−マシン（Ｍ２Ｍ）無線ワイドエリアネットワーク（ＷＡＮ）における無線通信のための方法であって、
第１のページングチャネルを用いて第１のデータレートで前記Ｍ２Ｍ無線ＷＡＮにおいて第１のページングメッセージを送信することと、
第１のイベントの発生を検出することと、
第２のページングチャネルを用いて第２のデータレートで、前記第１のイベントの前記発生に少なくとも部分的に基づいて、第２のページングメッセージを送信することであって、前記第２のページングチャネルは、前記第１のページングチャネルと異なることと、を備える、方法。
【請求項２】
前記第１のページングメッセージ及び前記第２のページングメッセージは、同じメッセージを備える請求項１に記載の方法。
【請求項３】
前記第２のデータレートは、前記第１のデータレートよりも低い請求項１に記載の方法。
【請求項４】
前記第１のイベントの前記発生を検出することは、
前記第１のデータレートでの前記第１のページングメッセージの前記送信に続くある期間後に応答が受信されないことを検出することをさらに備える請求項１に記載の方法。
【請求項５】
第２のイベントの発生を検出することと、
前記第１のページングチャネルを用いて前記第１のデータレートで第３のページングメッセージを送信することと、をさらに備える請求項１に記載の方法。
【請求項６】
前記第２のイベントの前記発生を検出することは、
前記第２のデータレートでの前記第２のページングメッセージの受信を示す応答の受信を検出することをさらに備える請求項５に記載の方法。
【請求項７】
前記第１のページングチャネル及び前記第２のページングチャネルは、論理チャネルを備える請求項１に記載の方法。
【請求項８】
第１のページングサイクルに従って前記第１のページングメッセージを送信することと、
第２のページングサイクルに従って前記第２のページングメッセージを送信することと、をさらに備える請求項１に記載の方法。
【請求項９】
前記第１のページングサイクルは、第１の長さを備え、前記第２のページングサイクルは、第２の長さを備え、前記第２の長さは、前記第１の長さよりも短い請求項８に記載の方法。
【請求項１０】
前記第１のページングメッセージの受信を示す応答が受信されるまで前記第２のデータレートで前記第１のページングメッセージを再送信することをさらに備える請求項１に記載の方法。
【請求項１１】
前記第１のページングメッセージ及び前記第２のページングメッセージを同時並行して送信することをさらに備え、前記第１のページングメッセージの前記送信は、前記第１のページングチャネルを使用し、前記第２のページングメッセージの前記送信は、前記第２のページングチャネルを使用する請求項１に記載の方法。
【請求項１２】
前記第１のページングメッセージ及び前記第２のページングメッセージを送信することは、
前記第１のページングメッセージを第１の基地局から送信することと、
前記第２のページングメッセージを前記第１の基地局から送信することと、をさらに備える請求項１に記載の方法。
【請求項１３】
前記第１のページングメッセージ及び前記第２のページングメッセージを送信することは、
前記第１のページングメッセージを第１の基地局から送信することと、
前記第２のページングメッセージを第２の基地局から送信することと、をさらに備え、前記第２の基地局は、前記第１の基地局と異なる請求項１に記載の方法。
【請求項１４】
物理層フレームのタイムスロットを識別することと、
前記識別されたタイムスロット中にページングメッセージを送信することと、をさらに備える請求項１に記載の方法。
【請求項１５】
前記タイムスロットを識別することは、
前記タイムスロットを決定するためにハッシュ関数を実行することと、
前記タイムスロットを端末に割り当てることと、をさらに備え、前記タイムスロットは、前記ページングメッセージを備える請求項１４に記載の方法。
【請求項１６】
前記第１のチャネル及び前記第２のページングチャネルは、符号分割多元接続（ＣＤＭＡ）チャネルを備える請求項１に記載の方法。
【請求項１７】
前記第１のチャネル及び前記第２のページングチャネルは、時分割多元接続（ＴＤＭＡ）チャネルを備える請求項１に記載の方法。
【請求項１８】
マシン−マシン（Ｍ２Ｍ）無線ワイドエリアネットワーク（ＷＡＮ）における無線通信のために構成された基地局であって、
プロセッサと、
前記プロセッサと電子通信状態にあるメモリと、
前記メモリに格納された命令と、を備え、前記命令は、
第１のページングチャネルを用いて第１のデータレートで前記Ｍ２Ｍ無線ＷＡＮにおいて第１のページングメッセージを送信し、
第１のイベントの発生を検出し、及び
第２のページングチャネルを用いて第２のデータレートで、前記第１のイベントの前記発生に少なくとも部分的に基づいて、第２のページングメッセージを送信するために前記プロセッサによって実行可能であり、前記第２のページングチャネルは、前記第１のページングチャネルと異なる、基地局。
【請求項１９】
前記第１のページングメッセージ及び前記第２のページングメッセージは、同じメッセージを備える請求項１８に記載の基地局。
【請求項２０】
前記第２のデータレートは、前記第１のデータレートよりも低い請求項１８に記載の基地局。
【請求項２１】
前記第１のイベントの前記発生を検出するための前記命令は、
前記第１のデータレートでの前記第１のページングメッセージの前記送信に続くある期間後に応答が受信されないことを検出するために前記プロセッサによってさらに実行可能である請求項１８に記載の基地局。
【請求項２２】
前記命令は、
第２のイベントの発生を検出し、及び
前記第１のページングチャネルを用いて前記第１のデータレートで第３のページングメッセージを送信するために前記プロセッサによってさらに実行可能である請求項１８に記載の基地局。
【請求項２３】
前記第２のイベントの前記発生を検出するための前記命令は、
前記第２のデータレートでの前記第２のページングメッセージの受信を示す応答の受信を検出するために前記プロセッサによってさらに実行可能である請求項２２に記載の基地局。
【請求項２４】
前記第１のページングチャネル及び前記第２のページングチャネルは、論理チャネルを備える請求項１８に記載の基地局。
【請求項２５】
前記第１のページングメッセージ及び前記第２のページングメッセージを送信するための前記命令は、
第１のページングサイクルに従って前記第１のページングメッセージを送信し、及び
第２のページングサイクルに従って前記第２のページングメッセージを送信するために前記プロセッサによってさらに実行可能である請求項１８に記載の基地局。
【請求項２６】
前記第１のページングサイクルは、第１の長さを備え、前記第２のページングサイクルは、第２の長さを備え、前記第２の長さは、前記第１の長さよりも短い請求項２５に記載の基地局。
【請求項２７】
前記命令は、
前記第１のページングメッセージの受信を示す応答が受信されるまで前記第２のデータレートで前記第１のページングメッセージを再送信するために前記プロセッサによってさらに実行可能である請求項１８に記載の基地局。
【請求項２８】
マシン−マシン（Ｍ２Ｍ）無線ワイドエリアネットワーク（ＷＡＮ）における無線通信のために構成された装置であって、
第１のページングチャネルを用いて第１のデータレートで前記Ｍ２Ｍ無線ＷＡＮにおいて第１のページングメッセージを送信するための手段と、
第１のイベントの発生を検出するための手段と、
第２のページングチャネルを用いて第２のデータレートで、前記第１のイベントの前記発生に少なくとも部分的に基づいて、第２のページングメッセージを送信するための手段であって、前記第２のページングチャネルは、前記第１のページングチャネルと異なる手段と、を備える、装置。
【請求項２９】
前記第１のページングメッセージ及び前記第２のページングメッセージは、同じメッセージを備える請求項２８に記載の装置。
【請求項３０】
前記第２のデータレートは、前記第１のデータレートよりも低い請求項２８に記載の装置。
【請求項３１】
前記第１のイベントの前記発生を検出するための前記手段は、
前記第１のデータレートでの前記第１のページングメッセージの前記送信に続くある期間後に応答が受信されないことを検出するための手段をさらに備える請求項２８に記載の装置。
【請求項３２】
第２のイベントの発生を検出するための手段と、
前記第１のページングチャネルを用いて前記第１のデータレートで第３のページングメッセージを送信するための手段と、をさらに備える請求項２８に記載の装置。
【請求項３３】
前記第１のページングメッセージ及び前記第２のページングメッセージを送信するための前記手段は、
第１のページングサイクルに従って前記第１のページングメッセージを送信するための手段と、
第２のページングサイクルに従って前記第２のページングメッセージを送信するための手段と、をさらに備える請求項２８に記載の装置。
【請求項３４】
前記第１のページングサイクルは、第１の長さを備え、前記第２のページングサイクルは、第２の長さを備え、前記第２の長さは、前記第１の長さよりも短い請求項３３に記載の装置。
【請求項３５】
前記第１のページングメッセージの受信を示す応答が受信されるまで前記第２のデータレートで前記第１のページングメッセージを再送信することをさらに備える請求項２８に記載の装置。
【請求項３６】
前記第１のページングメッセージ及び前記第２のページングメッセージを同時並行して送信するための手段をさらに備え、前記第１のページングメッセージの前記送信は、前記第１のページングチャネルを使用し、前記第２のページングメッセージの前記送信は、前記第２のページングチャネルを使用する請求項２８に記載の装置。
【請求項３７】
前記第１のページングメッセージを第１の基地局から送信するための手段と、
前記第２のページングメッセージを前記第１の基地局から送信するための手段と、をさらに備える請求項２８に記載の装置。
【請求項３８】
物理層フレームのタイムスロットを識別するための手段と、
前記識別されたタイムスロット中にページングメッセージを送信するための手段と、をさらに備える請求項２８に記載の装置。
【請求項３９】
前記タイムスロットを識別するための前記手段は、
前記タイムスロットを決定するためにハッシュ関数を実行するための手段と、
前記タイムスロットを端末に割り当てるための手段と、をさらに備え、前記タイムスロットは、前記ページングメッセージを備える請求項３８に記載の装置。
【請求項４０】
マシン−マシン（Ｍ２Ｍ）無線ワイドエリアネットワーク（ＷＡＮ）における無線通信を管理するためのコンピュータプログラム製品であって、
第１のページングチャネルを用いて第１のデータレートで前記Ｍ２Ｍ無線ＷＡＮにおいて第１のページングメッセージを送信し、
第１のイベントの発生を検出し、及び
第２のページングチャネルを用いて第２のデータレートで、前記第１のイベントの前記発生に少なくとも部分的に基づいて、第２のページングメッセージを送信するためにプロセッサによって実行可能である命令を格納する非一時的なコンピュータによって読み取り可能な媒体を備え、前記第２のページングチャネルは、前記第１のページングチャネルと異なる、コンピュータプログラム製品。
【請求項４１】
前記第１のページングメッセージ及び前記第２のページングメッセージは、同じメッセージを備える請求項４０に記載のコンピュータプログラム製品。
【請求項４２】
前記第２のデータレートは、前記第１のデータレートよりも低い請求項４０に記載のコンピュータプログラム製品。
【発明の詳細な説明】
【背景技術】
【０００１】
［０００１］以下は、概して、無線通信に関するものである。以下は、より具体的には、マシン−マシン（Ｍ２Ｍ）無線ワイドエリアネットワーク（ＷＡＮ）における通信に関するものである。様々なタイプの無線コンテンツ、例えば、音声、映像、パケットデータ、メッセージング、ブロードキャスト、センサデータ、トラッキングデータ、等、を提供することを目的として無線通信システムが広範囲にわたって配備されている。これらのシステムは、利用可能なシステムリソース（例えば、時間、周波数、及び電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００２】
［０００２］概して、無線多元接続通信システムは、複数のデバイスに関する通信を各々同時にサポートする幾つかの基地局を含むことができる。幾つかの例では、これらのデバイスは、データを収集し、このデータを基地局を介してエンドサーバに送信するように構成されたセンサ及び／又は計器であることができる。これらのセンサ及び／又は計器は、Ｍ２Ｍデバイスと呼ぶことができる。基地局は、順方向リンク及び逆方向リンクにおいてＭ２Ｍデバイスと通信することができる。各基地局は、カバレッジ範囲を有し、それは、セルのカバレッジエリアと呼ぶことができる。基地局は、基地局が基地局と接触するようにＭ２Ｍデバイスに要求していることをデバイスに知らせるためのページングメッセージを送信することができる。ページングメッセージは、フレーム内でのスロット中にチャネルを用いて基地局からＭ２Ｍデバイスに送信することができる。Ｍ２Ｍデバイスは、ページングメッセージの有無に関してモニタリングすることができ、基地局は、ページングサイクルに従ってページングメッセージを送信することができる。ページングメッセージは、チャネルを用いてある一定のデータレートで送信することができる。ページングメッセージを送信するために使用されるデータレートが所定のデバイスにとって低すぎ、このため、デバイスが必要な時間より長くアウェイク（ａｗａｋｅ）の状態にとどまる事例が存在することがある。低すぎるデータレートで送信することは、デバイスがアウェイク状態にとどまるために不必要な量の電力を使用させることがあり、システム容量が完全に利用されないことがある。さらに、Ｍ２Ｍデバイスは、現在のデータレートで送信されたページングメッセージを受信し損なうことがあり、同じデータレートでページングメッセージを受信することを試みるために次のページングサイクルが生じるまで待たなければならない。ページングメッセージを送信するために同じデータレートが引き続き使用される場合は、Ｍ２Ｍデバイスは、ページングメッセージを成功裏に復調及び復号することができないおそれがある。
【発明の概要】
【０００３】
［０００３］説明される特徴は、概して、ページングメッセージを送信するために用いられるデータレートを変えるためにＭ２Ｍ無線ＷＡＮにおいてページングチャネルを動的に選択するための１つ以上の改良されたシステム、方法、及び／又は装置に関するものである。ページングスロットは、順方向リンクフレームに含めることができる。ページングスロットは、ページングメッセージがＭ２Ｍデバイスに送信されるフレームの期間を表すことができる。ページングメッセージは、１つ以上のページングスロットのすべて又は一部分の間にページングチャネルで送信することができる。ページングチャネルは、１つ以上のサブチャネルを含むことができる。ページングメッセージは、異なるデータレートで各サブチャネルで送信することができる。Ｍ２Ｍデバイスは、ページングサイクルに従ってページングスロットをモニタリングするためにウェイクアップ（ｗａｋｅ  ｕｐ）することができる。
【０００４】
［０００４］基地局は、ページングサイクルに従ってページングスロット中にページングメッセージを送信することができる。ページングメッセージは、ページングチャネルのサブチャネルのうちの１つ以上を用いてページングスロット中にＭ２Ｍデバイスに送信することができる。幾つかのＭ２Ｍデバイスによって経験されるレーテンシーを低減させるために、及びリソースの使用を向上させるために、基地局は、高データレートでページングメッセージを送信することができる。しかしながら、Ｍ２Ｍデバイスが該高データレートでメッセージを復号することができない場合は、デバイスは、次のページングサイクルまでページングメッセージの有無をモニタリングするために再度ウェイクアップすることができない。ページングサイクルが高データレートで送信され続ける場合は、デバイスは、ページングメッセージの復号に不成功であり続ける。その結果、デバイスは、基地局が接触をするように要求していることに気付かないことがある。ページングチャネルの異なるサブチャネルを選択することによってデータレートを動的に変化させることは、Ｍ２Ｍデバイスがページングメッセージを成功裏に復号及び復調する尤度を高めることができる。
【０００５】
［０００５］一実施形態においては、Ｍ２Ｍ無線ＷＡＮにおいて無線通信を管理するための方法、システム、及びデバイスが説明される。第１のページングメッセージは、第１のページングチャネルを用いて第１のデータレートでＭ２Ｍ無線において送信することができる。第１のイベントの発生が検出される。
【０００６】
第２のページングメッセージは、第１のイベントの発生に少なくとも部分的に基づいて送信される。第２のページングメッセージは、第２のページングチャネルを用いて第２のデータレートで送信される。第２のページングチャネルは、第１のページングチャネルと異なる。
【０００７】
［０００６］一構成においては、第１のページングメッセージ及び第２のページングメッセージは、同じメッセージを備える。第２のデータレートは、第１のデータレートよりも低いことができる。一実施形態においては、第１のイベントの発生を検出することは、第１のデータレートでの第１のページングメッセージの送信に引き続くある期間後に応答を受信しないことを検出することを含むことができる。
【０００８】
［０００７］一例では、第２のイベントの発生を検出することができ、及び第１のページングチャネルを用いて第１のデータレートで第３のページングメッセージを送信することができる。第２のイベントの発生を検出することは、第２のデータレートでの第２のページングメッセージの受信を示す応答の受信を検出することを含むことができる。
【０００９】
［０００８］一実施形態においては、第１のページングチャネル及び第２のページングチャネルは、論理チャネルを備える。第１のページングメッセージは、第１のページングサイクルに従って送信することができ、第２のページングメッセージは、第２のページングサイクルに従って送信することができる。第１のページングサイクルは、第１の長さを含むことができ、第２のページングサイクルは、第２の長さを含むことができる。第２の長さは、第１の長さよりも短いことができる。
【００１０】
［０００９］一構成においては、第１のページングメッセージは、第１のページングメッセージの受信を示す応答が受信されるまで第２のデータレートで再送信することができる。第１のページングメッセージ及び第２のページングメッセージは、同時並行して送信することができる。第１のページングメッセージの送信は、第１のページングチャネルを使用することができ、第２のページングメッセージの送信は、第２のページングチャネルを使用することができる。
【００１１】
［００１０］第１のページングメッセージ及び第２のページングメッセージを送信することは、第１の基地局から第１のページングメッセージを送信することと、第１の基地局から第２のページングメッセージを送信することと、を含むことができる。一実施形態においては、第１のページングメッセージ及び第２のページングメッセージを送信することは、第１の基地局から第１のページングメッセージを送信することと、第２の基地局から第２のページングメッセージを送信することと、を含むことができる。第２の基地局は、第１の基地局と異なることができる。
【００１２】
［００１１］一実施形態においては、物理層フレームのタイムスロットを識別することができ、識別されたタイムスロット中にページングメッセージを送信することができる。タイムスロットを識別することは、タイムスロットを決定するためにハッシュ関数を実行することと、タイムスロットを端末に割り当てることと、を含むことができる。タイムスロットは、ページングメッセージを備えることができる。
【００１３】
［００１２］一構成においては、第１のページングチャネル及び第２のページングチャネルは、符号分割多元接続（ＣＤＭＡ）チャネルを備えることができる。一実施形態においては、第１のページングチャネル及び第２のページングチャネルは、時分割多元接続（ＴＤＭＡ）チャネルを備えることができる。
【００１４】
［００１３］Ｍ２Ｍ無線ＷＡＮにおける無線通信のために構成された基地局も説明される。基地局は、プロセッサと、そのプロセッサと電子的通信状態にあるメモリと、を含むことができる。メモリ内には命令を格納することができる。
【００１５】
命令は、第１のページングチャネルを用いて第１のデータレートでＭ２Ｍ無線ＷＡＮにおいて第１のページングメッセージを送信し、第１のイベントの発生を検出し、及び、第２のページングチャネルを用いて第２のデータレートで、第１のイベントの発生に少なくとも部分的に基づいて、第２のページングメッセージを送信するためにプロセッサによって実行可能である。第２のページングチャネルは、第１のページングチャネルと異なることができる。
【００１６】
［００１４］Ｍ２Ｍ無線ＷＡＮにおける無線通信のために構成された装置も説明される。装置は、第１のページングチャネルを用いて第１のデータレートでＭ２Ｍ無線ＷＡＮにおいて第１のページングメッセージを送信するための手段と、第１のイベントの発生を検出するための手段と、を含むことができる。装置は、第２のページングチャネルを用いて第２のデータレートで、第１のイベントの発生に少なくとも部分的に基づいて、第２のページングメッセージを送信するための手段をさらに含むことができる。第２のページングチャネルは、第１のページングチャネルと異なることができる。
【００１７】
［００１５］Ｍ２Ｍ無線ＷＡＮにおける無線通信を管理するためのコンピュータプログラム製品も説明される。コンピュータプログラム製品は、命令を格納する非一時的なコンピュータによって読み取り可能な媒体を含むことができる。命令は、第１のページングチャネルを用いて第１のデータレートでＭ２Ｍ無線ＷＡＮにおいて第１のページングメッセージを送信し、及び、第１のイベントの発生を検出するためにプロセッサによって実行可能である。命令は、第２のページングチャネルを用いて第２のデータレートで、第１のイベントの発生に少なくとも部分的に基づいて、第２のページングメッセージを送信するためにプロセッサによってさらに実行可能である。第２のページングチャネルは、第１のページングチャネルと異なることができる。
【００１８】
［００１６］説明される方法及び装置の適用可能性のさらなる範囲が、以下の詳細な発明を実施するための形態、請求項、及び図面から明確になるであろう。詳細な発明を実施するための形態及び具体例は、例示のみを目的として与えられており、説明の精神及び適用範囲内における様々な変更及び修正が可能であることが当業者にとって明確になるであろう。
【図面の簡単な説明】
【００１９】
［００１７］以下の図面を参照することによって本発明の性質及び利点に関するさらなる理解が実現されるであろう。添付される図において、同様のコンポーネント又は特徴は、同じ参照ラベルを有することができる。さらに、参照ラベル、ダッシュ記号及び同様のコンポーネントを区別する第２のラベルに従うことによって同じタイプの様々なコンポーネントを区別することができる。明細書において第１の参照ラベルのみが使用される場合は、説明は、第２の参照ラベルにかかわらず同じ第１の参照ラベルを有する同様のコンポーネントのうちのいずれか１つに適用可能である。
【図１】［００１８］無線通信システムのブロック図である。
【図２】［００１９］Ｍ２Ｍ通信を実装する無線ワイドエリアネットワーク（ＷＡＮ）を含む無線通信システムの例を示した図である。
【図３Ａ】［００２０］ページングシステムの一実施形態を例示したブロック図である。
【図３Ｂ】［００２１］無線通信システムの一実施形態を例示したブロック図である。
【図４Ａ】［００２２］様々な実施形態による順方向リンク通信を管理するためのデバイスを例示したブロック図である。
【図４Ｂ】［００２３］順方向リンク通信モジュールの一実施形態を例示したブロック図である。
【図５Ａ】［００２４］様々な実施形態による逆方向リンク通信を管理するためのデバイスを例示したブロック図である。
【図５Ｂ】［００２５］逆方向リンク通信モジュールの一実施形態を例示したブロック図である。
【図６】［００２６］様々な実施形態による順方向リンク通信を管理するためのデバイスを例示したブロック図である。
【図７】［００２７］ページングチャネル選択モジュールの一実施形態を例示したブロック図である。
【図８】［００２８］本システム及び方法による異なるデータレート及び異なるページングサイクルでページングメッセージを送信するために異なるページングチャネルを動的に選択する一例を示した図である。
【図９】［００２９］様々な実施形態によるページングメッセージがＭ２Ｍデバイスに送信されるデータレートを動的に変更するために構成することができる通信システムのブロック図である。
【図１０】［００３０］複数のページングチャネルを用いて順方向リンク通信を管理するための方法の一例を示したフローチャートである。
【図１１】［００３１］ページングスロットのページングチャネルの動的選択を通じて順方向リンク通信を管理するための方法の一例を示したフローチャートである。
【図１２】［００３２］ページングメッセージの送信のためのページングチャネルの動的選択を実装することによって順方向リンク通信を管理するための方法の一例を示したフローチャートである。
【発明を実施するための形態】
【００２０】
Ｍ２Ｍデバイスにページングメッセージを送信するために無線Ｍ２Ｍ  ＷＡＮにおいて使用されるページングチャネルを動的に変更するための方法、システム、及びデバイスが説明される。一実施形態においては、Ｍ２Ｍデバイスは、ページングメッセージを検出するために順方向リンクフレームのページングスロットをモニタリングすることができる。ページングスロット内にページングメッセージが存在する場合は、基地局がその基地局に接触するようにＭ２Ｍデバイスに要求していることをＭ２Ｍデバイスに示すことができる。ページングメッセージを検出及び復調した時点で、Ｍ２Ｍデバイスは、さらなる通信に従事するために基地局に接触することができる。現在では、ページングメッセージは、低データレートで無線Ｍ２Ｍ  ＷＡＮ内の各Ｍ２Ｍデバイスに送信することができる。低データレートでメッセージを送信することは、より低い信号強度を有するネットワーク内のＭ２Ｍデバイス（例えば、基地局からより遠くの距離に位置するデバイス）がメッセージを適切に復号することができる尤度を高めることができる。しかしながら、このアプローチ法は、強い信号強度を有するＭ２Ｍデバイスにとってのレーテンシーを不必要に増大させるおそれがあり、及び、より高いデータレートでメッセージを受信する可能性がある。例えば、基地局とＭ２Ｍデバイスの一部との間の信号強度は、高データレートでのページングメッセージの成功裏の送信をサポートする上で十分に強いことがある。さらに、システム容量が完全に利用されないことがある。
【００２１】
［００３４］一構成においては、Ｍ２Ｍデバイスは、順方向リンクで送信された各フレームのページングスロットをモニタリングするために常にアウェイクモードにあることができる。しかしながら、このアプローチ法は、Ｍ２Ｍデバイスがアウェイクモードにとどまるために高いレベルの電力を消費させる。１つの代替のアプローチ法は、Ｍ２Ｍデバイスがページングサイクルに基づいてページングスロットをモニタリングするために定期的にウェイクアップすることである。モニタリングされているページングスロット中にページングメッセージが送信されない場合は、デバイスは、次のページングサイクルまでスリープモードに戻ることができる。このアプローチ法におけるレーテンシーを低減させるために、ページングメッセージを長いデューティサイクルにおいて高データレートで送信することができる。例えば、５分ごとに高データレートでページングメッセージを送信することができる。しかしながら、幾つかの場合は、Ｍ２Ｍデバイスは、高データレートで送信されたメッセージは復調することができないことがある。その結果、Ｍ２Ｍデバイスは、スリープモードに戻り、メッセージを復調するのを試みるために次のページングサイクルまで待機する。ページングメッセージが次のページングサイクルでも引き続きこの高データレートで送信される場合は、Ｍ２Ｍデバイスは、依然としてメッセージを復号することができず、基地局が接触するようにＭ２Ｍデバイスに要求しているのを気付かない状態が続くことになる。
【００２２】
［００３５］ページングメッセージは、ある一定のデータレートでページングチャネルで送信することができる。一構成においては、メッセージは。ページングチャネルの１つ以上のサブチャネルを用いて送信することができる。ページングメッセージは、異なるデータレートで及び異なるページングサイクルで異なるサブチャネルにおいて送信することができる。例えば、基地局は、第１のデータレートで及び第１のページングサイクルで第１のサブページングチャネル（以後“第１のページングチャネル”）において第１のページングメッセージを送信することができる。基地局は、第２のデータレートで及び第２のページングサイクルで第２のサブページングチャネル（以後“第２のページングチャネル”）において第２のページングメッセージを送信することもできる。幾つかの例では、第１のページングメッセージ及び第２のページングメッセージは同じであることができる。メッセージは、異なるデータレートで及び異なるページングサイクルで第１のページングチャネル及び第２のページングチャネルにおいて送信することができる。一実施形態においては、ページングメッセージは、より高いデータレートで第１のページングチャネルで送信されるメッセージよりも低いデータレートで第２のチャネルにおいて及びより頻繁に送信することができる。
【００２３】
［００３６］一実施形態においては、ページングメッセージは、最初に、長いデューティサイクルで第１のページングチャネルを用いてＭ２Ｍデバイスに対して高データレートで送信することができる。デバイスがメッセージの復調に不成功である場合は、メッセージは、短いデューティサイクルで第２のページングチャネルを用いてより低いデータレートで再送信することができる。Ｍ２Ｍが低いデータレートでページングメッセージを成功裏に復調した場合は、基地局は、高データレートで及び長いデューティサイクルで第１のチャネルにおいて将来のページングメッセージを送信するために戻ることができる。
【００２４】
［００３７］以下は、例を提供するものであり、請求項おいて示される範囲、適用性、又は構成を制限するものではない。論じられている要素の機能及び配置の変更を、本開示の精神及び適用範囲から逸脱することなしに行うことができる。様々な実施形態は、様々な手順又はコンポーネントを適宜省略、置換、又は追加することができる。例えば、説明される方法は、説明される順序と異なる順序で実行することができ、及び、様々なステップを追加、省略、又は結合することができる。さらに、幾つかの実施形態に関して説明される特徴は、その他の実施形態において結合することができる。
【００２５】
［００３８］最初に図１を参照し、ブロック図は、無線通信システム１００の例を示す。システム１００は、基地局１０５（又はセル）と、マシン−マシン（Ｍ２Ｍ）デバイス１１５と、基地局コントローラ１２０と、コアネットワーク１３０と、を含む（コントローラ１２０は、コアネットワーク１３０内に組み入れることができる）。システム１００は、複数の搬送波（異なる周波数の波形信号）での動作をサポートすることができる。
【００２６】
［００３９］基地局１０５は、基地局アンテナ（示されていない）を介してＭ２Ｍデバイス１１５と無線通信することができる。基地局１０５は、複数の搬送波を介して基地局コントローラ１２０の制御下でＭ２Ｍデバイス１１５と通信することができる。基地局１０５の所在地の各々は、各々の地理上のエリアに関する通信カバレッジを提供することができる。ここにおける各基地局１０５に関するカバレッジエリアは、１１０ａ、１１０ｂ、又は１１０ｃとして識別される。基地局に関するカバレッジエリアは、セクタに分割することができる（示されていないが、カバレッジエリアの一部分のみを構成する）。システム１００は、異なるタイプの基地局１０５（例えば、マクロ基地局、ピコ基地局及び／又はフェムト基地局）を含むことができる。マクロ基地局は、相対的に大きい地理上のエリア（例えば、半径３５ｋｍ）に関する通信カバレッジを提供することができる。ピコ基地局は、相対的に小さい地理上のエリア（例えば、半径１０ｋｍ）に関するカバレッジを提供することができ、フェムト基地局は、相対的にそれよりも小さい地理上のエリア（例えば、半径１ｋｍ）に関する通信カバレッジを提供することができる。異なる技術に関して重なり合ったカバレッジエリアが存在することができる。
【００２７】
［００４０］Ｍ２Ｍデバイス１１５は、カバレッジエリア１１０全体にわたって分散することができる。各Ｍ２Ｍデバイス１１５は、静止型又は移動型であることができる。一構成においては、Ｍ２Ｍデバイス１１５は、異なるタイプの基地局、例えば、限定することなしに、マクロ基地局、ピコ基地局、及びフェムト基地局、と通信することができる。Ｍ２Ｍデバイス１１５は、その他のデバイス、環境条件、等をモニタリング及び／又は追跡するセンサ及び／又は計器であることができる。Ｍ２Ｍデバイス１１５によって収集された情報は、基地局１０５を含むネットワークを通じてバックエンドシステム、例えば、サーバ、に送信することができる。Ｍ２Ｍデバイス１１５への／からのデータの送信は、基地局１０５を通じてルーティングすることができる。基地局１０５は、順方向リンクでＭ２Ｍデバイスと通信することができる。一構成においては、基地局１０５は、データ及び／又はメッセージをＭ２Ｍデバイス１１５に搬送するためのチャネルを含む幾つかのタイムスロットを有する順方向リンクフレームを生成することができる。一例では、各順方向リンクフレームは、３つ以下のタイムスロット及び対応するチャネルを含むことができる。これらのスロット及びチャネルは、ページングチャネルを有するページングスロットと、ＡＣＫチャネルを有するＡＣＫスロットと、トラフィックチャネルを有するトラフィックスロットと、を含むことができる。個々のフレームの長さは、短いことができる（例えば、２０ミリ秒（ｍｓ））。一実施形態においては、４つのフレームを接合して８０ｍｓの継続時間を有するより大きいフレームを形成することができる。より大きいフレームに含まれる各フレームは、３つ以下のスロット及びチャネル、例えば、ページングチャネルに関するページングスロット、ＡＣＫチャネルに関するＡＣＫスロット、及びトラフィックチャネルに関するトラフィックスロット、を含むことができる。各フレームのページングチャネル及びＡＣＫチャネルに関するスロットは、各々、５ｍｓの長さを有することができ、各フレームのトラフィックチャネルに関するトラフィックスロットは、１０ｍｓの長さを有することができる。Ｍ２Ｍデバイス１１５は、ウェイクアップし、そのＭ２Ｍデバイス１１５を対象とするチャネル上のデータ及び／又はメッセージを含む（より大きいフレーム内の）個々のフレームのみをモニタリングすることができる。
【００２８】
［００４１］一構成においては、Ｍ２Ｍデバイス１１５は、フレームのタイムスロットをモニタリングするために定期的にウェイクアップすることができる。
【００２９】
例えば、デバイスは、フレームのページングスロットをモニタリングするために定期的にウェイクアップすることができる。デバイスは、ページングサイクルに従ってウェイクアップすることができる。例えば、Ｍ２Ｍデバイス１１５は、フレームのページングスロットをモニタリングするために５分ごとにウェイクアップすることができる。基地局１０５は、ページングサイクルを知っていることもでき、ページングサイクルに従ってフレームのページングスロット中にページングメッセージ（存在するとき）を送信することができる。ページングメッセージは、デバイス１１５の現在の状態を報告するために、基地局１０５からデータを受信する準備をするために、又はその他の目的のために、基地局１０５に接触するようにＭ２Ｍデバイス１１５に要求するためにページングスロット中に送信することができる。デバイス１１５がモニタリングされるページングスロット中にページングメッセージを復調しない場合は、（この例における）デバイス１１５は、５分が経過するまでスリープモードに戻ることができ、その後に、デバイス１１５は、ページングスロットを再度モニタリングするためにウェイクアップすることができる。これは、基地局１０５がＭ２Ｍデバイス１１５に接触する必要があることをＭ２Ｍデバイス１１５が知らない状態にする。
【００３０】
［００４２］一構成においては、Ｍ２Ｍデバイス１１５がページングメッセージを成功裏に復調したときには、ページング応答を基地局１０５に戻すことができる。基地局１０５がこの応答を受け取らないときには、Ｍ２Ｍデバイス１１５がページングメッセージを成功裏に復調することができる尤度を高めるために、ページングメッセージを送信するために使用されたデータレートを下げることができる。さらに、より低いデータレートにおけるこのメッセージの送信頻度を増大させることができる。例えば、最初に、ページングメッセージを高データレートで第１のページングチャネルで送信することができる。Ｍ２Ｍデバイス１１５がこのデータレートでメッセージを復調することができない場合は、基地局１０５は、メッセージの成功裏の復調を示す応答をＭ２Ｍデバイス１１５から受信しない。基地局１０５は、第２のページングチャネルでメッセージを再送信することによってデータレートを動的に下げることができる。より低いデータレートでのページングメッセージの再送信は、基地局１０５が応答を受信するまで、予め決定された期間まで、又は、幾つかの再送信が発生するまでより頻繁に（例えば、より短いデューティサイクルで）発生することができる。一例では、ページングスロットをモニタリングするために５分ごとにウェィクアップする代わりに、デバイス１１５は、第２のページングチャネルでより低いデータレートで送信されたページングメッセージの有無をモニタリングするために２秒ウェィクアップすることができる。これらの変更も基地局に影響を与える。一実施形態においては、基地局１０５は、今度は、（５分ごとにではなく）２秒ごとにより低いデータレートで第２のページングチャネルを用いてこのデバイスにページングメッセージを送信する。データレートを下げることによって、必要な信号強度を有さないＭ２Ｍデバイス１１５は依然としてページングメッセージを復号することができ、他方、十分な信号強度を有するＭ２Ｍデバイス１１５は、それらが高データレートで送信されるため、より短いレーテンシーでメッセージを受信することができる。ページングサイクルを短縮することによって、Ｍ２Ｍデバイス１１５は、ページングメッセージを復調する機会を得るためにさらに５分間待つ必要がない。これは、基地局１０５がデバイス１１５に接触する必要があることをＭ２Ｍデバイス１１５が気付くまでの遅延を低減させることができる。
【００３１】
［００４３］一実施形態においては、Ｍ２Ｍデバイス１１５は、その他のデバイス内に組み入れることができ、又は、Ｍ２Ｍデバイス１１５は、独立型デバイスであることができる。例えば、デバイス、例えば、携帯電話、無線通信デバイス、パーソナルデジタルアシスタント（ＰＤＡ）、その他のハンドヘルドデバイス、ネットブック、ノートブックコンピュータ、監視カメラ、ハンドヘルド医療用走査機器、家庭用品、等は、１つ以上のＭ２Ｍデバイス１１５を含むことができる。
【００３２】
［００４４］一例では、ネットワークコントローラ１２０は、一組の基地局に結合することができ及びこれらの基地局１０５に関する調整及び制御を提供することができる。コントローラ１２０は、バックホール（例えば、コアネットワーク１２５）を介して基地局１０５と通信することができる。基地局１０５は、互いに直接又は間接的に及び／又は無線又は有線のバックホールを介して通信することもできる。
【００３３】
［００４５］図２は、一態様によりＭ２Ｍサービスを実装する無線ワイドエリアネットワーク（ＷＡＮ）２０５を含む無線通信システム２００の例を示す。システム２００は、幾つかのＭ２Ｍデバイス１１５−ａと、Ｍ２Ｍサーバ２１０と、を含むことができる。サーバ２１０とＭ２Ｍデバイス１１５との間の通信は、基地局１０５を通じてルーティングすることができ、それは、ＷＡＮ２０５の一部であるとみなすことができる。基地局１１５−ａは、図１において示される基地局の一例であることができる。Ｍ２Ｍデバイス１１５−ａは、図１において示されるＭ２Ｍデバイス１１５の例であることができる。図２において示されるＭ２Ｍデバイス１１５−ａ、ＷＡＮ２０５、及びＭ２Ｍサーバ２１０の数は、例示することのみが目的であり、制限するものであると解釈されるべきでないことを当業者は理解するであろう。
【００３４】
［００４６］無線通信システム２００は、Ｍ２Ｍ通信を容易にするために動作可能である。Ｍ２Ｍ通信は、人間が介在しない１つ以上のデバイス間での通信を含むことができる。一例では、Ｍ２Ｍ通信は、ユーザが介在しない状態での、遠隔機械、例えば、Ｍ２Ｍデバイス１１５−ａと、バックエンドＩＴインフラストラクチャ、例えば、Ｍ２Ｍサーバ２１０、との間での自動化されたデータのやり取りを含むことができる。ＷＡＮ２０５（例えば、基地局１０５−ａ）を介してのＭ２Ｍデバイス１１５−ａからＭ２Ｍサーバ２１０へのデータの転送は、逆方向リンク通信を用いて行うことができる。Ｍ２Ｍデバイス１１５−ａによって収集されたデータ（例えば、モニタリングデータ、センサデータ、計器データ、等）は、逆方向リンク通信でＭ２Ｍサーバ２１０に転送することができる。
【００３５】
［００４７］基地局１０５−ａを介してのＭ２Ｍサーバ２１０からＭ２Ｍデバイス１１５−ａへのデータの転送は、順方向リンク通信を介して行うことができる。順方向リンクは、命令、ソフトウェアアップデート、及び／又はメッセージをＭ２Ｍデバイス１１５−ａに送信するために使用することができる。命令は、Ｍ２Ｍデバイス１１５−ａが装置、環境条件、等をモニタリングするように命令することができる。Ｍ２Ｍ通信は、様々な用途ともに使用することができ、例えば、遠隔モニタリング、測定及び状態の記録、フリート（ｆｌｅｅｔ）管理、資産追跡、現場でのデータ収集、流通、及び保管、等であるが、これらに限定されない。基地局１０５−ａは、命令、ソフトウェアアップデート、及び／又はメッセージを送信するためのチャネルを有する少数のタイムスロットを有する１つ以上の順方向リンクフレームを生成することができる。特定のフレームのタイムスロット中に命令又はその他のデータがチャネルに含まれているときには、様々なＭ２Ｍデバイス１１５−ａがそのフレームのタイムスロットをモニタリングするためにウェイクアップすることができる。デバイス１１５−ａは、フレームのページングスロット中にページングメッセージを復号することによって命令又はその他のデータを入手可能であることに気付くことができる。ページングサイクルは、基地局１０５−ａがどのような頻度でページングメッセージをＭ２Ｍデバイス１１５−ａに送信すべきであるかを示すことができる。デバイス１１５−ａは、ページングサイクルに従ってページングメッセージの有無に関してページングスロットをモニタリングするためにウェイクアップすることができる。ページングメッセージは、送信スケジュールに基づいて異なるデータレートで送信することができる。一実施形態においては、基地局１０５−ａは、デバイス１１５−ａの信号の強度を知っていることができない。基地局１０５−ａは、最初に、高データレートでページングメッセージを送信することを試み、次に、その高データレートでページングメッセージが受信されたことを示すページング応答がデバイス１１５−ａから受信されない場合はより低いデータレートに切り換わることができる。
【００３６】
［００４８］一構成においては、異なるアドレッシング形式を使用する異なる無線アクセスネットワークにおいては異なるタイプのＭ２Ｍ通信を提案することができる。異なるアドレッシング形式は、異なるタイプのＭ２Ｍデバイス１１５−ａが異なるサービスのために使用されることに結び付くことができる。一態様においては、Ｍ２Ｍデバイス１１５−ａがＭ２Ｍサーバ２１０と通信するために使用されるＷＡＮ技術から独立した状態を維持することができるＭ２Ｍネットワークを実装することができる。該態様においては、Ｍ２Ｍデバイス１１５−ａ及びＭ２Ｍサーバ２１０は、使用されるＷＡＮ技術から独立させることができる。その結果、既にインストールされているＭ２Ｍデバイス１１５−ａに影響を与えずに、バックホール通信のために使用されるＷＡＮ技術の代わりに異なるＷＡＮ技術を使用することができる。例えば、Ｍ２Ｍサーバ２１０及びＭ２Ｍデバイス１１５−ａは、ＷＡＮ技術によって使用されるアドレッシング形式にかかわらず互いに通信することができ、その理由は、Ｍ２Ｍデバイス１１５−ａによって使用されるアドレッシング形式は、実装されたＷＡＮ技術によって使用されるアドレッシングと結び付けることができないためである。
【００３７】
［００４９］一実施形態においては、Ｍ２Ｍデバイス１１５−ａの行動を予め定義することができる。例えば、他のデバイスをモニタリングして収集された情報を送信するための日時、等をＭ２Ｍデバイス１１５−ａに関して予め定義することができる。例えば、Ｍ２Ｍデバイス１１５−ａ−１は、第１の予め定義された期間に他のデバイスをモニタリングして他のデバイスに関する情報を収集するのを開始するようにプログラミングすることができる。デバイス１１５−ａ−１は、第２の予め定義された期間に収集された情報を送信するようにプログラミングすることもできる。Ｍ２Ｍデバイス１１５−ａの行動は、遠隔でプログラミングすることができる。ページングメッセージを送信するために使用されるデータレート及びデューティサイクルは、様々な状態に応じて柔軟であることができる。ページングメッセージを送信するために使用されるデータレートを動的に変更することに関する詳細が以下において説明される。
【００３８】
［００５０］図３Ａは、基地局１０５−ｂとＭ２Ｍデバイス１１５−ｂとを含むページングシステム３００の一実施形態を例示したブロック図である。基地局１０５−ｂは、図１又は２の基地局１０５の一例であることができる。Ｍ２Ｍデバイス１１５−ｂは、図１又は２のＭ２Ｍデバイスの一例であることができる。
【００３９】
［００５１］無線通信システム、例えば、図１又は２のシステム、においては、スリープ状態及びページングの概念は、バッテリ電力及びエアリンクリソースの点で効率的な形で大量のデバイス（例えば、Ｍ２Ｍデバイス１１５）へのネットワーク接続性を提供する上で重要である。スリープ状態は、デバイスの送信／受信回路の全体又は一部分を遮断することによってバッテリ電力消費量を最少にするための動作モードをＭ２Ｍデバイス１１５−ｂに提供することができる。さらに、スリープ状態のＭ２Ｍデバイス１１５には専用のエアリンクリソースが割り当てられず、従って、非常に多数のＭ２Ｍデバイスを同時にサポートすることができる。Ｍ２Ｍデバイス１１５−ｂがトラフィック活動を有さない時間的間隔中には、デバイス１１５−ｂは、リソースを節約するためにスリープ状態にとどまることができる。
【００４０】
［００５２］ページングは、Ｍ２Ｍデバイス１１５−ｂがスリープ状態から定期的にウェイクアップすることと、順方向リンク通信（例えば、基地局１０５ｂからＭ２Ｍデバイス１１５−ｂへの通信）においてページングメッセージ３０５を受信及び処理するためにＭ２Ｍデバイス１１５−ｂに動作させることと、を含むことができる。基地局１０５−ｂは、Ｍ２Ｍデバイス１１５−ｂがいつウェイクアップすべきかを知っていることができる。従って、基地局１０５−ｂが接触、すなわち、ページングすることを意図する場合は、基地局１０５−ｂは、Ｍ２Ｍデバイス１１５−ｂがウェイクアップしてページングチャネルをモニタリングするようにスケジューリングされている時間に順方向リンクフレームの１つ以上のページングスロットの全部又は一部中にページングチャネルでページングメッセージ３０５を送信することができる。しかしながら、基地局１０５−ｂは、Ｍ２Ｍ無線ＷＡＮにおける各Ｍ２Ｍデバイス１１５の信号強度を知っていることができない。その結果、基地局１０５−ｂは、第１のページングチャネルを用いて高データレートでページングメッセージを送信する。Ｍ２Ｍデバイス１１５−ｂの信号強度が低すぎるためＭ２Ｍデバイス１１５−ｂがページングメッセージ３０５を適切に復調することができない場合は、基地局１０５−ｂは、デバイス１１５−ｂにメッセージを送信するために使用されるデータレートを動的に変更することができる。さらに、ページングメッセージ３０５を送信する頻度を増大させることができ、デバイス１１５−ｂは、より低いデータレートで送信されたページングメッセージ３０５の有無に関してモニタリングするためにウェイクアップする頻度を増大させることができる。一構成においては、基地局１０５−ｂが、Ｍ２Ｍデバイス１１５−ｂがページングメッセージを受信済みであることを確認するページング応答３１０を受信しない場合は、基地局１０５−ｂは、より頻繁に及びより低いデータレートでページングスロット中に第２のページングチャネルでページングメッセージ３０５を再送信することができる。基地局１０５−ｂは、Ｍ２Ｍデバイス１１５−ｂがページングメッセージ３０５を受信してページング応答３１０を送信するまで及び／又はページングメッセージ３０５のある一定の送信回数が発生するまでページングメッセージ３０５を再送信することができる。これらのイベントのうちの１つ又は両方が発生した場合は、基地局１０５−ｂ及びＭ２Ｍデバイス１１５−ｂは、前のページングサイクル下で動作する状態に戻ることができ、基地局１０５−ｂは、第１のページングチャネルを用いて高データレートでデバイス１５０−ｂにページングメッセージを送信する状態に戻ることができる。
【００４１】
［００５３］Ｍ２Ｍデバイス１１５−ｂの２つの連続するウェイクアップ期間の間の時間的間隔をページングサイクルと呼ぶことができる。Ｍ２Ｍデバイス１１５−ｂは、ページングサイクルのうちでＭ２Ｍデバイス１１５−ｂがページングメッセージ３０５の受信に関連する処理を行っていない部分中にはスリープ状態で動作することができる。スリープ状態の利益を最大化するために、ページングシステム３００は、ページングサイクルに関して大きい値を使用することができる。例えば、データシステムにおいて、ページングサイクルは、約５分であることができる。上記のように、基地局１０５−ｂが、ページングメッセージ３０５の成功裏の受信を示すページング応答３１０を受信しない場合は、基地局１０５−ｂは、ページング応答３１０が受信されるまでより小さいページングサイクルを用いてページングメッセージ３０５を再送信することができる。ページングメッセージ３０５の再送信は、同じチャネル又は異なるチャネルを用いて行うことができる。さらに、Ｍ２Ｍデバイス１１５−ｂは、ページングメッセージ３０５の有無に関してページングスロットをモニタリングするためにより定期的に（すなわち、より短いページングサイクルで）ウェイクアップすることができる。
【００４２】
［００５４］一実施形態においては、フレームのページングスロット中に使用されるページングチャネルは、幾つかのページングメッセージ３０５を搬送する上で十分な帯域幅を有することができる。一例においては、ページングチャネルは、最大量未満のページングメッセージ３０５を搬送することができる。基地局１０５−ｂは、ページングスロット中にページングチャネルの余分の未使用の帯域幅内にシステム情報を挿入することができる。システム情報は、基地局１０５−ｂから送信された信号のタイミングを取得するために幾つかのＭ２Ｍデバイス１１５−ｂによって使用することができる。システム情報を送信するためにページングチャネルを再度使用することは、該情報を搬送するための順方向リンクフレームの追加のタイムスロット中に追加のチャネルを設定する必要をなくす（それは、順方向リンクフレームの全長を長くする）。その結果、Ｍ２Ｍデバイス１１５は、アウェイクモードにある時間を最短にすることによって電力を節約することができる。ページングチャネルを再度使用することによって、順方向リンクで送信されるフレームのタイムスロットを短くすることができ、Ｍ２Ｍデバイス１１５が可能なかぎり素早くスリープモードに戻るのを可能にする。
【００４３】
［００５５］ページングメッセージ３０５を受信した時点で、Ｍ２Ｍデバイス１１５−ｂは、ページングメッセージ３０５内で指定されたあらゆる動作を行うことができる。例えば、Ｍ２Ｍデバイス１１５−ｂは、単にページングメッセージ３０５を受信してスリープ状態に戻ることができる。代替として、Ｍ２Ｍデバイス１１５−ｂは、基地局１０５−ｂとアクティブなコネクションを確立するために基地局１０５−ｂにアクセスすることができる。
【００４４】
［００５６］図３Ｂは、無線通信システム３２０の一実施形態を例示したブロック図である。システム３２０は、基地局１０５−ｃと、Ｍ２Ｍデバイス１１５−ｃと、を含むことができる。基地局１０５ｃ及びＭ２Ｍデバイス１１５−ｃは、図１、２、又は３Ａの基地局及びＭ２Ｍデバイスの例であることができる。一構成においては、基地局１０５−ｃは、順方向リンク通信３２５のために使用される論理チャネルのための限られた数のタイムスロットを有する順方向リンクフレームを用いてＭ２Ｍデバイス１１５−ｃと通信することができる。Ｍ２Ｍデバイス１１５−ｃは、逆方向リンク通信３３０を用いて基地局１０５−ｃと通信することができる。上述されるように、順方向リンク通信及び逆方向リンク通信を用いて行われる通信は、Ｍ２Ｍ通信であることができる。これらの通信は、様々な形態をとることができ、主に、基地局１０５−ｃ及びＭ２Ｍデバイス１１５−ｃによって使用されるエアインタフェースプロトコルに依存する。
【００４５】
［００５７］基地局１０５−ｃは、１つ以上の搬送波周波数で通信するように配置することができ、典型的には、順方向リンク通信及び逆方向リンク通信をそれぞれ定義するために一対の周波数帯域を使用する。基地局１０５−ｃは、複数のセルセクタを画定するように配備された一組の指向性アンテナ素子を含むこともできる。所定の搬送波周波数における各セクタ内でのＭ２Ｍ通信は、セクタ専用コード、例えば、擬似ランダム雑音オフセット（“ＰＮオフセット”）を用いて所定のセクタ内の通信を変調することによってその他のセクタにおける通信と区別することができる。さらに、各セクタ内でのＭ２Ｍ通信は、制御チャネル及びトラフィックチャネルに分割することができ、それらの各々は、時分割多重（ＴＤＭ）を通じて定義することができる。
【００４６】
［００５８］一実施形態においては、信号は、フレームフォーマットで順方向リンク通信３２５及び逆方向リンク３３０で送信することができる。フレームフォーマット内では、情報は、通信リンク３２５、３３０を通じて通信される実際のペイロードデータによりパケット化及びフォーマット化することができる。一構成においては、順方向リンク通信３２５で送信されるフレームのフォーマットは、様々なチャネルのための様々なタイムスロットを含むことができる。一実施形態においては、フレームは、ページングチャネルのためのページングスロットと、ＡＣＫチャネルのためのＡＣＫスロットと、トラフィックチャネルのためのトラフィックスロットと、を含むことができる。上記のように、ページングメッセージ３０５及び／又はシステム情報は、ページングスロット中にＭ２Ｍデバイス１１５−ｃに対して（ページングサイクルに従って）ページングチャネルで送信することができる。ＡＣＫメッセージは、基地局１１５−ｃにおいて信号が成功裏に受信されたときにＡＣＫタイムスロット中にＭ２Ｍデバイスに対してＡＣＫチャネルで送信することができる。トラフィックデータは、トラフィックタイムスロット中にＭ２Ｍデバイス１１５−ｃに対してトラフィックチャネルで送信することができる。Ｍ２Ｍ通信において順方向リンク通信３２５で使用されるフレームは、短いデューティサイクルに基づくことができる。
【００４７】
［００５９］電力を節約することを目的として、Ｍ２Ｍデバイス１１５は、データ、ページングメッセージ３０５、等を受信するために特定の順方向リンクフレームの特定のタイムスロット中のみにウェイクアップすることができる。その結果、Ｍ２Ｍ通信におけるフレーム構造は、各々のＭ２Ｍデバイス１１５ごとにスロットを設ける（ｓｌｏｔｔｅｄ）ことができる。例えば、第１のフレームは、第１のＭ２Ｍデバイス１１５を対象とするページングメッセージ及びその他の情報を搬送する（第１のページングチャネルのための）第１のページングスロットを含むことができる。第２、第３、及び第４のフレームは、第２、第３、及び第４のページングスロットをそれぞれ含むことができる。第２、第３、及び第４のＭ２Ｍデバイスは、これらのスロットでメッセージ及びデータを受信することができる。一実施形態においては、Ｍ２Ｍデバイス１１５−ｃは、デバイス１１５−ｃがそれのデータを受信することを予想することができるスロットを決定するためにそれの識別文字（ＩＤ）、予想されるデータレートでのスロット数、及び予想されるデータレートにおける総ユーザ数に関して一組のハッシュ関数を使用することができる。従って、各デバイス１１５は、それのデータを取り出すために必要であるフレームのスロットのみに関してウェイクアップすることが要求される。各デバイス１１５は、ページングメッセージの有無に関してページングスロットをモニタリングするためにそれのページングサイクルに従ってウェイクアップすることができる。ページングメッセージは、第１のページングサイクルに従って第１のデータレートで送信することができる。幾つかの条件が変わった場合は、データレート及びページングサイクルは動的に変化することができる。例えば、データレートは下げることができ、サイクルは短くすることができる。その結果、デバイス１１５は、より低いデータレートで送信されたページングメッセージの有無に関してページングスロットをモニタリングするためにより頻繁にウェイクアップすることができる。デバイス１１５がオリジナルのデータレート及びページングサイクルでページングメッセージを成功裏に復号することができない場合は、データレートを下げることができ及びページングサイクルを短くすることができる。さらに、データレート及び／又はページングサイクルは、様々な環境条件、時刻、順方向リンク通信３２５において利用可能な帯域幅、Ｍ２Ｍデバイス１１５の状態、等に基づいて変化することができる。ページングサイクル及びデータレートを動的に変更することは、Ｍ２Ｍデバイス１１５が、ページングメッセージ３０５の有無をモニタリングするためにウェイクアップするために次の、より長いページングサイクルが満了するまで待つ代わりにより早期にページングメッセージ３０５を復調するのを可能にすることができる。
【００４８】
［００６０］一構成においては、通信リソースを節約することを目的として、Ｍ２Ｍデバイス１１５−ｃは、現在のシステム及び方法により、スリープ状態に戻るために基地局１０５−ｃから送信されたメッセージのオポチュニスティック（ｏｐｐｏｒｔｕｎｉｓｔｉｃ）な復号を行うことができる。一実施形態においては、基地局１０５−ｃは、１つ以上の順方向リンクフレームを生成し、それらの１つ以上の順方向リンクフレームのうちの１つのチャネルを用いてメッセージの複数のコピーをＭ２Ｍデバイス１１５−ｃに送信することができる。メッセージの各コピーは、高データレートでサブチャネルで送信することができる。Ｍ２Ｍデバイス１１５−ｃは、メッセージを成功裏に復調するために必要な数だけのメッセージのコピーを読み取ることができる。一構成においては、Ｍ２Ｍデバイス１１５−ｃは、基地局１０５−ｃから送信されたパイロット信号からの受信された信号強度に基づいてメッセージを復号するために受信する必要があるメッセージのコピー数を推定することができる。メッセージを成功裏に復号した時点で、デバイス１１５−ｃは、物理層ＡＣＫメッセージを生成して基地局１０５−ｃに送り返す前にスリープ状態に戻ることができる。メッセージのさらなるコピーがサブチャネル内に残っている場合は、基地局１０５−ｃは、（Ｍ２Ｍデバイス１１５−ｃが既にスリープ状態に戻っている場合でも）それらのさらなるコピーを送信し続けることができる。一構成においては、デバイス１１５−ｃは、メッセージが受信されていることを示す物理層ＡＣＫメッセージを基地局に送信しないことによってバッテリ電力を節約することができる。
【００４９】
［００６１］一実施形態においては、逆方向リンク通信３３０は、Ｍ２Ｍデバイス１１５−ｃのバッテリ電力及びＭ２Ｍデバイス１１５−ｃと基地局１０５−ｃとの間でのエアインタフェースリソースを節約するために早期に終了させることができる。上記のように、順方向リンクフレームは、ＡＣＫチャネルを含むことができる。基地局１０５−ｃは、逆方向リンク通信３３０を用いてＭ２Ｍデバイス１１５−ｃから送信された逆方向リンク物理層パケットの受信に関して肯定応答するＡＣＫメッセージを搬送するためにＡＣＫチャネルを使用することができる。一構成においては、より高い逆方向リンクデータレートに対応するＡＣＫをより高い順方向リンクデータレートで基地局１０５−ｃからＭ２Ｍデバイス１１５−ｃに送信することができる。より低い逆方向リンクデータレートに対応するＡＣＫをより低い順方向リンクデータレートで送信することができる。その結果、各ＡＣＫを最低のデータレートで送信するのではなく、それは、異なるデータレートで送信することができ、その結果、少なくとも２つの異なるパケットフォーマットが存在する。ＡＣＫがＭ２Ｍデバイス１１５−ｃにより高いデータレートで送信されるときには、デバイス１１５−ｃは、より素早くＡＣＫを受信して復号することができ、それにより、順方向リンクＡＣＫスループットを向上させ及びＡＣＫが低いデータレートで送信された場合よりも早期に逆方向リンク通信３３０を終了させることができる。
【００５０】
［００６２］一構成においては、逆方向リンク通信３３０の動作帯域は、複数の逆方向リンク周波数チャネルに分割することができる。各周波数チャネル内において、複数のＭ２Ｍデバイス１１５に関して逆方向リンク通信を多重化するためにＣＤＭＡ技法を使用することができる。一例では、各逆方向リンク周波数チャネルは、それ自体のライズ・オーバー・サーマル（ｒｉｓｅ  ｏｖｅｒ  ｔｈｅｒｍａｌ）（ＲＯＴ）動作ポイントを有することができる。少なくとも１つの周波数チャネルを低データレートランダムアクセスチャネルとして専用であることができる。逆方向リンク通信３３０の動作帯域を分割することは、逆方向リンク通信に関して低いＲＯＴ動作ターゲット（例えば、１デシベル（ｄＢ）以下）を提供することができる。低いＲＯＴは、大きい経路損失を有する位置に存在するデバイスに関するリンクバジェット（ｌｉｎｋ  ｂｕｄｇｅｔ）要求を低減させることができる。
【００５１】
［００６３］一例では、Ｍ２Ｍデバイス１１５−ｃの電力効率を向上させるために、逆方向リンク通信３３０に関して狭帯域周波数分割多元接続（ＦＤＭＡ）技法を使用することができる。この技法は、逆方向リンク通信３３０の動作帯域を幾つかの狭帯域周波数チャネルに分割することを含むことができる。基地局１０５−ｃは、各狭帯域チャネルの状態及び割り当てを各Ｍ２Ｍデバイス１１５にブロードキャストすることができる。状態は、“ビジー”又は“アイドル”であることができる。一実施形態においては、Ｍ２Ｍデバイス１１５−ｃは、狭帯域周波数チャネルがデバイス１１５−ｃに割り当てられた場合のみにデータを送信することができる。信号対干渉・雑音比（ＳＩＮＲ）分布を利用するために及び逆方向リンク通信３３０において複数のデータレートをサポートするために逆方向リンク通信３３０の早期終了（上述）を狭帯域ＦＤＭＡ技法内に組み入れることができる。
【００５２】
［００６４］次に図４Ａを参照し、ブロック図は、様々な実施形態による順方向リンク通信を管理するためのデバイス４００を例示する。デバイス４００は、図１、２、３Ａ、及び／又は３Ｂを参照して説明される基地局１０５の１つ以上の態様の例であることができる。デバイス４００は、プロセッサであることもできる。デバイス４００は、受信機モジュール４０５、順方向リンク通信モジュール４１０、及び／又は送信機モジュール４１５を含むことができる。これらのコンポーネントの各々は、互いに通信状態にあることができる。
【００５３】
［００６５］デバイス４００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００５４】
［００６６］受信機モジュール４０５は、情報、例えば、パケット、データ、及び／又はデバイス４００が受信又は送信しているものに関するシグナリング情報、を受信することができる。受信された情報は、様々な目的のために順方向リンク通信モジュール４１０によって利用することができる。
【００５５】
［００６７］受信機モジュール４０５は、逆方向リンク通信３３０を用いてＭ２Ｍデバイス１１５から送信された逆方向リンク物理層パケットを受信するように構成することができる。受信機モジュール４０５は、Ｍ２Ｍデバイス１１５に通信するためにバックエンドサーバから命令、一組の動作、メッセージ、等を受信するように構成することもできる。順方向リンク通信モジュール４１０は、１つ以上の順方向リンクフレームを生成することができる。それらのフレームは、論理チャネルのために使用される最小限のタイムスロットを含む短いデューティサイクルフレームであることができる。順方向リンクフレームは、複数のＭ２Ｍデバイスと通信するためにスロットを設定することができる。順方向リンクフレームに関する詳細が以下において説明される。
【００５６】
［００６８］順方向リンク通信モジュール４１０は、逆方向リンク３３０においてパケットが成功裏に受信されていることを示すＡＣＫメッセージを生成することができる。送信機モジュール４１５は、Ｍ２Ｍデバイス１１５に対して順方向リンクフレームでＡＣＫメッセージを送信するように構成することができる。最低のデータレートで順方向リンクフレームでＡＣＫチャネルを送信する代わりに、それは、より高いデータレートで送信することができ、その結果、前述されるように、受信機４０５によって逆方向リンク３３０で受信される通信を早期に終了させることができる。
【００５７】
［００６９］一実施形態においては、順方向リンク通信モジュール４１０は、送信機モジュール４１５を介して幾つかのＭ２Ｍデバイス１１５に送信するために幾つかのページングメッセージ３０５を生成することができる。ページングメッセージ３０５は、基地局１０５がＭ２Ｍデバイス１１５に対して基地局１０５と接触するように要求していることを特定のＭ２Ｍデバイス１１５に警告することができる。一構成においては、ページングメッセージ３０５は、異なるデータレートでページングスロット中にページングチャネル（又はページングチャネルのサブチャネル）で送信することができ、Ｍ２Ｍデバイス１１５がページングメッセージを成功裏に復調するかどうかに依存する。一構成においては、ページングチャネルは、最大数未満のページングメッセージ３０５を含むことができる。ページングチャネルが最大数のページングメッセージ３０５を含まない場合は、ページングスロットはアイドルであると決定することができる。ページングチャネル内にシステムシステム情報を挿入することによってページングチャネルの未使用の容量を利用することができる。システム情報は、順方向リンクフレームのページングタイムスロット中にページングチャネルでＭ２Ｍデバイス１１５にブロードキャストすることができる。このタイプの情報を送信するための追加のチャネル及びタイムスロットが順方向リンクフレームにおいて回避される。その代わりに、システム情報を送信するためにアイドルのページングタイムスロットを再度使用することができる。
【００５８】
［００７０］受信機モジュール４０５は、Ｍ２Ｍデバイス１１５がページングメッセージ３０５を成功裏に復号したときにページング応答３１０を受信することができる。受信機モジュール４０５がページング応答３１０を受信しないときには、順方向リンク通信モジュール４１０は、ページングメッセージ３０５を再送信するように送信機モジュール４１５に命令するように構成することができる。送信機モジュール４１５は、ページングメッセージ３０５のオリジナルの送信よりも低いデータレートで及びより高い頻度でメッセージ３０５を再送信することができる。送信機モジュール４１５は、ページング応答３１０が受信機モジュール４０５によって受信されたときに及び／又はある一定の回数のメッセージ３０５の再送信が送信された後は再送信を停止することができる。送信機モジュール４１５は、異なる順方向リンクフレームの異なるサブページングチャネルでページングメッセージ３０５を送信及び再送信することができる。一構成においては、ページングメッセージ３０５を送信するためにページングチャネルが要求されないときには、順方向リンク通信モジュール４１０は、システム情報を生成して順方向リンクフレームのページングチャネル内に挿入することができる。送信機モジュール４１５は、フレームのページングチャネルでＭ２Ｍデバイス１１５にシステム情報を送信することができる。一構成においては、送信機４１５は、複数のフレームの複数のページングチャネルを用いて情報を送信することができる。ページングメッセージは、異なるデータレート及び異なるページングサイクルで異なるページングチャネルにおいて送信することができる。
【００５９】
［００７１］図４Ｂは、順方向リンク通信モジュール４１０−ａの一実施形態を例示したブロック図である。モジュール４１０−ａは、図４Ａの順方向リンク通信モジュールの一例であることができる。一例では、モジュール４１０−ａは、順方向リンクフレーム生成モジュール４２０と、ＡＣＫ生成モジュール４２５と、ページングスロット再使用モジュール４３０と、ページングサイクル選択モジュール４３５と、ページングチャネル選択モジュール４４０と、共有トラフィックチャネル情報フォーマット化モジュール４４５と、を含むことができる。
【００６０】
［００７２］順方向リンクフレーム生成モジュール４２０は、（例えば、基地局からＭ２Ｍデバイスへの）順方向リンク３２５での通信のために使用される物理層フレームを生成することができる。生成されたフレームは、短いデューティサイクル及び少数のスロッテッド（ｓｌｏｔｔｅｄ）物理層チャネルに基づくことができる。例えば、モジュール４２０は、合計２０ミリ秒（ｍｓ）である順方向リンク物理層フレームを生成することができる。その結果、Ｍ２Ｍデバイス１１５は、順方向リンクフレームを受信するために２０ｍｓ間ウェイクアップする必要があるだけである。従って、Ｍ２Ｍデバイス１１５において電力を節約することができる。モジュール４２０によって生成されるフレームのスロッテッド動作（ｓｌｏｔｔｅｄ  ｏｐｅｒａｔｉｏｎ）は、Ｍ２Ｍデバイス１１５がデータを予想しているフレームのスケジューリングされたタイムスロット中のみに無線をオンにするのを可能にすることができる。その結果、Ｍ２Ｍデバイス１１５は、フレームの長さよりも短い時間アウェイクモードにあることができる。
【００６１】
［００７３］順方向リンクフレームの物理チャネルの各々は、パイロットシンボル及びデータシンボルの両方を含むことができ、それらは、時分割多重化（ＴＤＭ）することができる。一構成においては、モジュール４２０によって生成された順方向リンクフレームは、ページングスロットと、ＡＣＫスロットと、トラフィックスロットと、を含むことができる。ページングメッセージ及びその他の情報は、ページングタイムスロット中に順方向リンク通信３２５でＭ２Ｍデバイス１１５に対してページングチャネルで送信することができる。ＡＣＫメッセージ及び追加情報は、ＡＣＫスロット中にＡＣＫチャネルで送信することができる。データメッセージは、トラフィックスロット中にＭ２Ｍデバイス１１５に対してトラフィックチャネルで送信することができる。
【００６２】
［００７４］ＡＣＫ生成モジュール４２５は、順方向リンク通信３２５で通信するためのＡＣＫメッセージを生成することができる。メッセージは、順方向リンクフレーム生成モジュール４２０によって生成される順方向リンクフレームの一部であるＡＣＫチャネルで送信することができる。一構成においては、順方向リンクフレームは、圧縮された識別文字（ＩＤ）をＭ２Ｍデバイス１１５に送信するために使用することができる。圧縮されたＩＤは、Ｍ２Ｍデバイス１１５のネットワークＩＤのハッシュであることができる。圧縮されたＩＤは、基地局が逆方向リンクでＭ２Ｍデバイスから送信されたパケットを成功裏に受信したことを示すＭ２Ｍデバイス１１５のためのＡＣＫメッセージを表すことができる。一構成においては、ＡＣＫ生成モジュール４２５は、ＡＣＫパケットを生成するために１つのＭ２Ｍデバイスに関する圧縮されたＩＤをその他のＭ２Ｍデバイスの圧縮されたＩＤとともにグループに分けることができる。ＡＣＫパケットは、異なる数量の圧縮されたＩＤを含むことができる。
【００６３】
［００７５］幾つかの例では、ページングスロットは、ある一定の順方向リンクフレームに関してアイドルであることができる。例えば、ページングスロット中のページングチャネルの容量は、１００％の容量でないことができる。例えば、ページングスロットは、Ｍ２Ｍデバイス１１５に関するページングメッセージ３０５を送信するようにスケジューリングすることはできない。その結果、ページングチャネルは、空である（例えば、ページングメッセージ３０５がない）ことができる。ページングスロット再使用モジュール４３０は、Ｍ２Ｍデバイス１１５にシステム情報を通信するためにアイドルのページングスロットを再度使用することができる。システム情報は、システムタイミング及びセクタ番号情報を含むことができ及びページングタイムスロット中にＭ２Ｍデバイス１１５に送信するためにページングチャネル内に挿入することができる。従って、Ｍ２Ｍデバイス１１５にシステム情報を搬送するために順方向リンクフレーム内で追加のチャネルを確立することを回避することができる。代わりに、ページングスロット再使用モジュール４３０は、フレーム内のページングスロットのアイドルのページングチャネル内にシステム情報を挿入することができる。
【００６４】
［００７６］一実施形態においては、ページングサイクル選択モジュール４３５は、Ｍ２Ｍデバイスにページングメッセージを送信するための特定のページングサイクルを選択することができる。モジュール４３５は、Ｍ２Ｍ無線ＷＡＮにおいてＭ２Ｍデバイス１１５に関するページングサイクルを動的に変えるために柔軟なページング方式を提供することができる。ページングサイクル選択モジュール４３５は、デバイス１１５からページング応答３１０が受信されるかどうか、時刻、Ｍ２Ｍデバイス１１５の動作状態、等に依存してページングサイクルを動的に変えることができる。
【００６５】
［００７７］一構成においては、ページングチャネル選択モジュール４４０は、順方向リンク通信３２５を用いてＭ２Ｍデバイス１１５にページングメッセージを送信するためにページングチャネルのサブチャネルを選択することができる。例えば、選択モジュール４４０は、一次ページングチャネル及び二次ページングチャネルの間で選択することができる。モジュール４４０は、一次及び二次ページングチャネルを用いてＭ２Ｍ  ＷＡＮにおいて異なるデータレートでページングメッセージを送信するのを可能にするページング方式を提供することができる。一次ページングチャネルは、より長いページングサイクルに関して使用することができ、二次ページングチャネルは、より短いページングサイクルに関して使用することができる。一例では、基地局１０５は、第１のページングメッセージを送信することができる。モジュール４４０は、一次チャネルを選択することができる。第１のページングメッセージは、長いページングサイクルにわたって高いデータレートで一次チャネルで送信することができる。モジュール４４０は、二次ページングチャネルを選択することができる。第２のページングメッセージは、より短いページングサイクルにわたってより低いデータレートで送信されることになるため、第２のページングメッセージは、第２のページングメッセージで送信することができる。一実施形態においては、第１及び第２のページングメッセージは、同じであることができる。一例では、ページングチャネルは、論理チャネルであることができる。一構成においては、ページングチャネルは、符号分割多元接続（ＣＤＭＡ）チャネルであることができる。一例では、ページングチャネルは、時分割多元接続（ＴＤＭＡ）チャネルであることができる。
【００６６】
［００７８］共有トラフィックチャネルフォーマット化モジュール４４５は、複数のＭ２Ｍデバイスによって共有することができる順方向リンクフレーム内のトラフィックチャネルをフォーマット化することができる。Ｍ２Ｍデバイス１１５が所定のトラフィックチャネルサイクル内で共有されるトラフィックチャネルでのデータを予想しているときには、デバイス１１５は、ＩＤフィールドによる指示に従ってデータを見つけるまでトラフィックチャネルサイクル中に複数の順方向リンクフレーム全体にわたってトラフィックチャネルスロットの読み取りを続けることができる。その結果、Ｍ２Ｍデバイス１１５は、データを見つけるのに必要な以上長くアウェイク状態にあることができる。フォーマット化モジュール４４５は、Ｍ２Ｍデバイス１１５に関するウェイクアップ時間を最小にするような形でトラフィックチャネルをフォーマット化することができる。Ｍ２Ｍデバイス１１５は、共有されるトラフィックチャネル上のデータを得るために特定のフレームのどのスロットがウェイクアップすべきであるかを決定することができる。どのスロットがウェイクアップすべきであるかを決定するために、Ｍ２Ｍデバイスは、そのＩＤに関して一組のハッシュ関数を使用することができる。Ｍ２Ｍデバイスは、データを受け取ることを予想することができるスロットを決定するために予想されるデータレートにおけるスロット数及びそのレートにおける総ユーザ数を使用することもできる。トラフィックチャネルは、どのスロットを使用すべきかをデバイスが決定するのを可能にするためにモジュール４４５によってフォーマット化することができる。例えば、モジュール４４５は、ハッシュされたスロットにデータ又は実際のデータが所在するスロットを指し示すポインタが入っているように共有トラフィックチャネルをフォーマット化することができる。第１のフレームのスロットにすべてのポインタを入れることができない場合は、モジュール４４５は、オーバーフローフラグを設定し、ハッシュされたＭ２Ｍデバイスがデータの有無を検査することができる他のフレームの他のスロットを指し示すポインタを提供することができる。Ｍ２Ｍデバイス１１５に関するすべてのデータを単一のスロット中に収納できるわけでない場合は、モジュール４４５は、残りのデータが送信される他のスロットを示すポインタを含めるようにチャネルのトレーラフィールド（ｔｒａｉｌｅｒ  ｆｉｅｌｄ）をフォーマット化することができる。
【００６７】
［００７９］図５Ａは、様々な実施形態による逆方向リンク通信を管理するためのデバイス５００を例示したブロック図である。デバイス５００は、図１、２、３Ａ、及び／又は３Ｂを参照して説明されるＭ２Ｍデバイス１１５及び／又は基地局１０５の１つ以上の態様の例であることができる。デバイス５００は、プロセッサであることもできる。デバイス５００は、受信機モジュール５０５、逆方向リンク通信モジュール５１０、及び／又は送信機モジュール５１５を含むことができる。これらのコンポーネントの各々は、互いに通信状態にあることができる。
【００６８】
［００８０］デバイス５００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００６９】
［００８１］受信機モジュール５０５は、情報、例えば、パケット、データ、及び／又はデバイス５００が受信又は送信しているものに関するシグナリング情報、を受信することができる。受信された情報は、様々な目的のために逆方向リンク通信モジュール５１０によって利用することができる。
【００７０】
［００８２］受信機モジュール５０５は、順方向リンク通信３２５を用いて基地局１０５から送信された順方向リンク物理層パケットを受信するように構成することができる。逆方向リンク通信モジュール５１０は、Ｍ２Ｍデバイス１１５から基地局１０５にデータを送信するためのトラフィックスロットを含む逆方向リンクフレームを生成することができる。
【００７１】
［００８３］一実施形態においては、逆方向リンク通信モジュール５１０は、逆方向リンクでの通信を早期に終了させることができる。上において説明されるように、順方向リンクフレームは、高いデータレートで基地局１０５からＭ２Ｍデバイス１１５にＡＣＫメッセージを送信するためのＡＣＫチャネルを含むことができる。より高い逆方向リンクデータレートに対応するＡＣＫメッセージは、より高いデータレートで受信機モジュール５０５によって受信することができる。ＡＣＫメッセージを受信した時点で、逆方向リンク通信モジュール５１０は、逆方向リンク通信３３０で通信を送信するのを停止するように送信機５１５に命令することができる。逆方向リンク通信モジュール５１０に関する詳細が以下において説明される。
【００７２】
［００８４］図５Ｂは、逆方向リンク通信モジュール５１０−ａの一実施形態を例示したブロック図である。モジュール５１０−ａは、図５Ａの逆方向リンク通信モジュールの例であることができる。一例では、モジュール５１０−ａは、スリープ状態モジュール５２０と、マルチチャネルモジュール５２５と、狭帯域多元接続モジュール５３０と、を含むことができる。
【００７３】
［００８５］一構成においては、スリープ状態モジュール５２０は、Ｍ２Ｍデバイス１１５が基地局１０５からメッセージを受信する上で十分に長い間ウェイクアップし、次に電力を節約するためにスリープ状態に戻るのを可能にすることができる。基地局は、順方向リンクフレームを用いてＭ２Ｍデバイスにメッセージを送信することができる。フレームは、メッセージを搬送するためのページングチャネルを含むことができる。ページングチャネルは、幾つかのサブチャネルを含むことができる。基地局は、メッセージのコピーを各サブチャネルで送信することができる。Ｍ２Ｍデバイスがサブチャネルのうちの１つにおけるメッセージを成功裏に受信及び復調したときには、スリープ状態モジュール５２０は、無線をオフにすること及び基地局にＡＣＫメッセージを戻さずにバッテリを節約するためにスリープ状態に戻ることをＭ２Ｍデバイス１１５に行わせることができる。
【００７４】
［００８６］一実施形態においては、マルチチャネルモジュール５２５は、逆方向リンク通信３３０におけるオペレーティング・ライズ・オーバー・サーマル（ＲＯＴ）雑音の悪影響を低減させるために符号分割多元接続（ＣＤＭＡ）に基づく多元接続方式を提供することができる。一構成においては、モジュール５２５は、逆方向リンクの動作帯域を複数の逆方向リンク周波数チャネルに分割することができる。各周波数チャネル内において、モジュール５２５は、多元ユーザ多重化のためにＣＤＭＡを使用することができる。各周波数チャネルは、それ自体のターゲットＲＯＴ動作ポイントを有することができる。マルチチャネルモジュール５２５は、少なくとも１つの周波数チャネルを低データレートランダムアクセスチャネルとして専用化することができる。その結果、オペレーティングＲＯＴを低減させることができる。
【００７５】
［００８７］一例では、狭帯域多元接続モジュール５３０は、逆方向リンク通信３３０に関して狭帯域周波数分割多元接続（ＦＤＭＡ）技法を提供することができる。モジュール５３０は、動作帯域を複数の狭帯域周波数チャネルに分割することができる。各狭帯域チャネルのビジー又はアイドル状態を各Ｍ２Ｍデバイス１１５にブロードキャストすることができる。デバイスは、プリアンブルを送信することによってチャネルのアイドルの組からランダムに選択されたチャネルに関して競争することができる。モジュール５３０は、チャネルがＭ２Ｍデバイスに暗黙に又は明示で割り当てられた場合のみにＭ２Ｍデバイス１１５がデータを送信することを可能にすることができる。モジュール５３０は、チャネル状態がビジーに変化した場合は送信を遮断するのを可能にすることができない。
【００７６】
［００８８］図６は、様々な実施形態による順方向リンク通信を管理するためのデバイス６００を示したブロック図である。デバイス６００は、図１、２、３Ａ、３Ｂ、４Ａ、及び／又は４Ｂを参照して説明される基地局の１つ以上の態様の例であることができる。デバイス６００は、プロセッサであることもできる。デバイス６００は、受信機モジュール４０５−ａ、順方向リンク通信モジュール４１０−ａ、及び／又は送信機モジュール４１５−ａを含むことができる。これらのコンポーネントの各々は、互いに通信状態にあることができる。
【００７７】
［００８９］デバイス６００のこれらのコンポーネントは、個々に又は全体として、ハードウェア内の該当する機能の一部又は全部を実行するように好適化された１つ以上の特定用途向け集積回路（ＡＳＩＣ）とともに実装することができる。代替として、これらの機能は、１つ以上の集積回路において、１つ以上のその他の処理ユニット（又はコア）によって実行することができる。その他の実施形態においては、その他のタイプの集積回路（例えば、Ｓｔｒｕｃｔｕｒｅｄ／Ｐｌａｔｆｏｒｍ  ＡＳＩＣ、フィールドプログラマブルゲートアレイ（ＦＰＧＡ）、及びその他のＳｅｍｉ−ＣｕｓｔｏｍＩＣ）を使用することができ、それらは、当業において知られているあらゆる方法でプログラミングすることができる。各ユニットの機能は、全体又は一部を、メモリ内で具現化され、１つ以上の汎用又は特定用途向けプロセッサによって実行するようにフォーマット化された命令を用いて実装することもできる。
【００７８】
［００９０］受信機モジュール４０５−ａは、情報、例えば、パケット、データ、及び／又はデバイス６００が受信又は送信しているものに関するシグナリング情報、を受信することができる。受信された情報は、前述されるように、様々な目的のために順方向リンク通信モジュール４１０−ａによって利用することができる。
【００７９】
［００９１］一構成においては、順方向リンク通信モジュール４１０−ａは、ページングチャネル選択モジュール４４０を含むことができる。モジュール４４０は、ページングメッセージを送信するために使用されるページングチャネルを動的に変えることができる。メッセージは、異なるページングサイクルにわたり異なるデータレートで異なるページングチャネルで送信することができる。ページングチャネルの選択に関する詳細が以下において説明される。
【００８０】
［００９２］図７は、ページングチャネル選択モジュール４４０−ａの一実施形態を例示したブロック図である。モジュール４４０−ａは、図４Ｂ及び／又は６のページングチャネル選択モジュール４４０の例であることができる。一構成においては、モジュール４４０−ａは、応答モニタリングモジュール７０５と、データレート選択モジュール７１０と、オーバーフローモニタリングモジュール７１５と、を含むことができる。
【００８１】
［００９３］一例では、モニタリングモジュール７０５は、幾つかのメッセージの有無に関して逆方向リンク通信３３０をモニタリングすることができる。一構成においては、モジュール７０５は、Ｍ２Ｍデバイス１１５から送信されたページング応答メッセージ３１０に関して逆方向リンク３３０での通信をモニタリングすることができる。Ｍ２Ｍデバイス１１５は、ページングメッセージ３０５を成功裏に復調した時点でページング応答メッセージ３１０を送信することができる。モニタリングモジュール７０５は、幾つかの条件をモニタリングすることもできる。例えば、モジュール７０５は、温度条件、時刻条件、等、をモニタリングすることができる。ページングチャネル選択モジュール４４０−ａは、モニタリングモジュール７０５によってモニタリングされたイベント及び条件に基づいてＭ２Ｍデバイス１１５にメッセージを送信するために使用されるページングチャネルを動的に変えることができる。
【００８２】
［００９４］データレート選択モジュール７１０は、ページングチャネルが変えられたときにページングメッセージを送信するためのデータレートを選択することができる。例えば、モニタリングモジュール７０５は、ページングメッセージがデバイス１１５に送信されたある一定の期間後にＭ２Ｍデバイス１１５からページング応答が受信されていないことを検出することができる。ページングメッセージは、第１のページングチャネルを用いて第１のデータレートで送信しておくことができる。選択モジュール４４０−ａは、ページングメッセージを再送信するために使用すべき異なるページングチャネルを選択することができる。データレート選択モジュール７１０は、第２のページングチャネルでメッセージを送信するために使用すべき第２のデータレートを選択することができる。ページングメッセージを送信するために使用されるページングチャネル（及びデータレート）を動的に変えることに加えて、ページングサイクルも変えることができる。一構成においては、基地局１０５でページング応答が受信されないときには、ページングメッセージは、より低いデータレートで及びより短いデューティサイクルで再送信することができる。基地局１０５は、サイクルの変化をデバイス１１５に通知するためのメッセージを生成することができる。一実施形態においては、デバイス１１５及び基地局１０５は、ページングサイクルの変化に関するメッセージをやり取りすることができない。ページングサイクルの変化は、予め決定し、基地局１０５及びデバイス１１５において事前に知っているようにすることができる。幾つかの条件（例えば、時刻、環境条件、等）に関する情報は、デバイス１１５及び基地局１０５において知っていることができる。その結果、ある一定の条件がデータレート及びページングサイクルの変更をトリガしたときには、デバイス１１５及び基地局１０５は、追加のメッセ−シングに従事しないで動的にサイクルを変えることができる。
【００８３】
［００９５］オーバーフローモニタリングモジュール７１５は、メッセージを送信するために追加のページングスロットが必要であるかどうかを決定するためにページングメッセージをモニタリングすることができる。幾つかの場合には、ページングメッセージは、単一のページングスロットで送信するには大きすぎることがある。その結果、ページングメッセージの一部がその他のフレームの追加のページングスロット内にオーバーフローすることがある。ページングメッセージは、オーバーフロービットを含むヘッダを含むことができる。モジュール７１５は、オーバーフロービットがリセットされるまでデバイス１１５が後続するページングスロットの読み取りを続けるべきであることを、現在のページングスロットを読み取るようにマッピングされているＭ２Ｍデバイスに示すようにメッセージヘッダ内のオーバーフロービットを設定することができる。
【００８４】
［００９６］図８は、現在のシステム及び方法により異なるデータレート及び異なるページングサイクルでページングメッセージを送信時に使用すべき異なるページングチャネルを動的に選択する一例８００を示す。一実施形態においては、複数の順方向リンクフレーム８１５は、各々、ページングスロット８２０を含むことができる。各フレーム８１５は、ページングスロット８２０に加えてその他のスロットを含むことができる。一実施形態においては、各フレーム８１５は、ＡＣＫスロット、トラフィックスロット、等を含むことができる。一構成においては、ページングスロット８２０は、ページングメッセージを送信時に使用すべきサブチャネル８０５、８１０を含むことができる。例えば、第１のフレーム８１５−ａ−１は、第１のページングチャネル８０５−ａ−１と第２のページングチャネル８１０−ａ−１とを含む第１のページングスロット８２０−ａ−１を含むことができる。第１の時間ｔ１では、ページングメッセージは、第１のページングサイクル８２５−ａ−１に従って第１のページングチャネル８０５−ａ−１で送信することができる。
【００８５】
［００９７］時間ｔ１での例において示されるように、ある特定のデバイスに関して、そのデバイスを対象とするページングメッセージは、第１のページングチャネル８０５を用いて３つ目のフレームごとに送信することができる。この例では、ページングメッセージは、第１のページングチャネル８０５−ａ−１を用いて第１のフレーム８１５−ａ−１の第１のページングスロット８２０−ａ−１中に送信することができる。次に、ページングメッセージは、第１のページングチャネル８０５−ａ−４を用いて第４のフレーム８１５−ａ−４の第４のページングスロット８２０−ａ−４中に送信することができる。ページングメッセージは、第２のページングスロット８２０−ａ−２及び第３のページングスロット８２０−ａ−３中には送信することができない。第１のフレーム８１５−ａ−１の第１のページングスロット８２０−ａ−１中に送信されたページングメッセージは、のちのフレームのページングスロット中に送信されるページングメッセージと同じであることができる。異なるフレーム８１５のページングスロット８２０中に送信されるページングメッセージは、異なることができる。この例では、時間ｔ１での第１のページングサイクル８２５−ａ−１は、ページングメッセージが、対応するページングスロットの第１のページングチャネル８０５を用いて３つ目の順方向リンクフレームごとに送信されるべきであることを示すことができる。第１のページングチャネル８０５を用いて送信されるページングメッセージは、高いデータレートで送信することができる。例えば、メッセージは、毎秒２０キロビット（ｋｂｐｓ）で送信することができる。
【００８６】
［００９８］一構成においては、時間ｔ２で、ページングメッセージを送信するために使用されるページングチャネルは、動的に変わることができる。一例では、時間ｔ２は、時間ｔ１に後続することができる。一実施形態においては、第１のページングサイクル８２５−ａ−１は、第２のページングサイクル２８５−ａ−２に変わることができ、今度は、ページングメッセージは、各順方向リンクフレーム８１５の各ページングスロット８２０中に送信される。第２のページングサイクル８２５−ａ−２で送信されるページングメッセージは、第２のページングサイクル８２５−ａ−１でページングメッセージを送信するために使用されるデータレートよりも低いデータレートで送信することができる。一例では、第２のページングチャネル８１０は、より低いデータレートで及びより短いページングサイクルでページングメッセージを送信するために使用することができる。第２のページングチャネル８１０は、ページングスロット８２０のサブチャネルであることができる。ページングメッセージは、１０ｋｌｂｐｓで第２のページングチャネルを用いて送信することができる。
【００８７】
［００９９］時間ｔ２に第２のページングサイクル８２５−ａ−２中に送信されるページングメッセージは、時間ｔ１に第１のページングサイクル８２５−ａ−１中に送信されたのと同じメッセージであることができる。代替として、第２のページングサイクル８２５−ａ−２中に送信されるページングメッセージは、第１のページングサイクル８２５−ａ−１中に送信されたページングメッセージと異なることができる。第２のページングサイクル８２５−ａ−２中により頻繁にページングメッセージを送信することに加えて、メッセージに適用される変調及びコーディング方式は、第１のページングサイクル８２５−ａ−１中に送信されたメッセージに適用された方式と異なることもできる。さらに、第１のページングサイクル８２５−ａ−１中にメッセージを送信するために使用されるデータレートは、第２のページングサイクル８２５−ａ−２中にページングメッセージを送信するために使用されるデータレートよりも高いことができる。
【００８８】
［０１００］一実施形態においては、ページングメッセージが送信されるフレームの前のフレームにおいてビットを設定することができる。例えば、第１のフレーム８１５−ａ−１の前のフレームにおいてビットを設定することができる。ビットが前のフレームで設定される場合は、次のフレーム（例えば、第１のフレーム８１５−ａ−１）中にページングメッセージを送信することができることをＭ２Ｍデバイス１１５に通知することができる。
【００８９】
［０１０１］一構成においては、ページングメッセージは、第１のページングスロット８２０−ａ−１及び第４のページングスロット８２０−ａ−４の第１の一次チャネル８０５を用いて時間ｔ１においてＭ２Ｍデバイスに送信することができる。ページングメッセージは、第１のページングサイクル８２５−ａ−１に従って高いデータレート（例えば、２０ｋｂｐｓ）で送信することができる。ページングメッセージを送信する基地局１０５は、ページング応答メッセージの有無をモニタリングすることができる。応答メッセージを受信できなかった時点で、基地局は、第２のページングサイクル８２５−ａ−２に従ってより低いデータレート（例えば、１０ｋｂｐｓ）でページングメッセージを再送信することができる。ページングメッセージの再送信は、第２のページングチャネル８１０を用いて行うことができる。応答メッセージを受信した時点で、基地局１０５は、第１のページングサイクル８２５−ａ−１に従って第１のページングチャネル８０５を用いてより高いデータレートで将来のページングメッセージをＭ２Ｍデバイス１１５に送信するのを再開することができる。
【００９０】
［０１０２］図９は、様々な実施形態によりページングメッセージがＭ２Ｍデバイス１１５に送信されるデータレートを動的に変更するために構成することができる通信システム９００のブロック図を示す。このシステム９００は、図１で描かれるシステム１００、図２のシステム２００、図３Ａのシステム３００、図３Ｂの３２０、図４Ａのシステム４００、及び／又は図６のシステム６００の態様の一例であることができる。
【００９１】
［０１０３］システム９００は、基地局１０５−ｄを含むことができる。基地局１０５ｄは、アンテナ９４５と、トランシーバモジュール９５０と、メモリ９７０と、プロセッサモジュール９６５と、を含むことができ、それらの各々は、直接又は間接的に、（例えば、１つ以上のバスを通じて）互いに通信状態にあることができる。トランシーバモジュール９５０は、アンテナ９４５を介して、Ｍ２Ｍデバイス１１５と単一方向で通信するように構成することができ、Ｍ２Ｍデバイス１１５は、センサ、計器、又は、追跡、検知、モニタリング、等が可能なあらゆるその他のタイプのデバイスであることができる。トランシーバモジュール９５０（及び／又は基地局１０５−ｄのその他のコンポーネント）は、１つ以上のネットワークと単一方向で通信するように構成することもできる。幾つかの場合は、基地局１０５−ｄは、ネットワーク通信モジュール９７５を通じてコアネットワーク１３０−ａと通信することができる。
【００９２】
［０１０４］基地局１０５−ｄは、その他の基地局１０５、例えば、基地局１０５−ｍ及び基地局１０５−ｎ、とも通信することができる。基地局１０５の各々は、異なる無線通信技術、例えば、異なる無線アクセス技術、を用いてＭ２Ｍデバイス１１５と通信することができる。幾つかの場合は、基地局１０５−ｄは、基地局通信モジュール９１５を利用してその他の基地局、例えば、１０５−ｍ及び／又は１０５−ｎと通信することができる。幾つかの実施形態では、基地局１０５−ｄは、コントローラ１２０及び／又はコアネットワーク１３０−ａを通じてその他の基地局と通信することができる。
【００９３】
［０１０５］メモリ９７０は、ランダムアクセスメモリ（ＲＡＭ）と、読み取り専用メモリ（ＲＯＭ）と、を含むことができる。メモリ９７０は、実行されたときにここにおいて説明される様々な機能（例えば、動的データレート方式、柔軟なページング方式、ＡＣＫ方式、データトラフィック方式、等）を実行することをプロセッサモジュール９６５に行わせるように構成される命令が入ったコンピュータによって読み取り可能な、コンピュータによって実行可能なソフトウェアコード９７１を格納することもできる。代替として、ソフトウェア９７１は、プロセッサモジュール９６５によって直接実行することができず、コンパイルされて実行されたときにここにおいて説明される機能を実行することをコンピュータに行わせるように構成することができる。
【００９４】
［０１０６］プロセッサモジュール９６５は、インテリジェントハードウェアデバイス、例えば、Ｉｎｔｅｌ（登録商標）  Ｃｏｒｐｏｒａｔｉｏｎ又はＡＭＤ（登録商標）によって製造されるような中央処理装置（ＣＰＵ）、マイクロコントローラ、特定用途向け集積回路（ＡＳＩＣ）、等を含むことができる。トランシーバモジュール９５０は、Ｍ２Ｍデバイス１１５に関してパケットを変調して変調されたパケットを送信のためにアンテナ９４５に提供し、及び、アンテナ９４５から受信されたパケットを復調するように構成されたモデムを含むことができる。基地局１０５−ｄの幾つかの例は、単一のアンテナ９４５を含むことができる一方で、基地局１０５−ｄは、好ましいことに、搬送波アグリゲーション（ａｇｇｒｅｇａｔｉｏｎ）をサポートすることができる複数のリンクに関する複数のアンテナ９４５を含む。例えば、Ｍ２Ｍデバイス１１５とのマクロ通信をサポートするために１つ以上のリンクを使用することができる。
【００９５】
［０１０７］図９のアーキテクチャにより、基地局１０５−ｄは、通信管理モジュール９３０をさらに含むことができる。通信管理モジュール９３０は、その他の基地局１０５との通信を管理することができる。一例として、通信管理モジュール９３０は、バスを介して基地局１０５−ｄのその他のコンポーネントの一部又は全部と通信する基地局１０５−ｄのコンポーネントであることができる。代替として、通信管理モジュール９３０の機能は、トランシーバモジュール９５０のコンポーネントとして、コンピュータプログラム製品として、及び／又はプロセッサモジュール９６５の１つ以上のコントローラ要素として実装することができる。
【００９６】
［０１０８］基地局１０５−ｄに関するコンポーネントは、図７のデバイス７００に関して上述される態様を実装するように構成することができ、ここでは簡潔さを目的として繰り返されない。例えば、基地局１０５−ｄは、応答モニタリングモジュール７０５−ａと、データレート選択モジュール７１０−ａと、オーバーフローモニタリングモジュール７１５−ａと、を含むことができる。これらのモジュールは、図７に関して前述されるモジュールの例であることができる。一実施形態においては、モジュール７０５−ａ、７１０−ａ、７１５−ａは、独立型モジュールであることができ又は図４Ｂ、６、及び７において説明されるページングチャネル選択モジュール４４０内に組み入れることができる。さらに、それらのモジュールの一部は、独立型であり、その他は、ページングチャネル選択モジュール４４０の一部として組み入れることができる。
【００９７】
［０１０９］幾つかの実施形態では、アンテナ９４５と関連付けられたトランシーバモジュール９５０は、基地局１０５−ｄのその他の可能なコンポーネントとともに、各々がページングスロット８０５を含む幾つかの順方向リンクフレームを、基地局１０５−ｄからＭ２Ｍデバイス１１５に、その他の基地局１０５−ｍ／１０５−ｎに、又はコアネットワーク１３０−ａに送信することができる。
【００９８】
［０１１０］図１０は、複数のページングチャネルを用いて順方向リンク通信を管理するための方法１０００の一例を示したフローチャートである。明確化を目的として、方法１０００は、以下においては、図１、２、３Ａ、４Ａ、６、又は９に示される基地局１０５を参照して説明される。一実装においては、ページングチャネル選択モジュール４４０は、以下において説明される機能を実行するために基地局１０５の機能上の要素を制御するために１つ以上の組のコードを実行することができる。
【００９９】
［０１１１］ブロック１００５において、Ｍ２Ｍ無線ＷＡＮで第１のページングメッセージを送信することができる。第１のページングメッセージは、第１のページングチャネルを用いて第１のデータレートで送信することができる。第１のデータレートは、２０ｋｂｐｓであることができ、ただし２０ｋｂｐｓに限定されない。第１のページングチャネルは、順方向リンクフレームのページングスロットのサブチャネルであることができる。ブロック１０１５において、第１のイベントの発生を検出することができる。例えば、第１のページングメッセージが送信された後に応答メッセージが受信されていないことを検出することができる。
【０１００】
［０１１２］ブロック１０１５において、第２のページングメッセージを送信することができる。第２のページングメッセージは、第２のページングチャネルを用いて第２のデータレートに従って送信することができる。一実施形態においては、第２のページングチャネルは、第１のページングチャネルと異なることができる。その結果、第２のデータレートは、第１のデータレートと異なることができる。第２のページングメッセージは、第１のページングメッセージと同じ（すなわち、再送信）であることができる。逆に、第１及び第２のページングメッセージは、異なることができる。第１のページングメッセージは、第２のページングサイクルに従って送信することができる。第２のページングサイクルは、第１のページングサイクルよりも短いことができる。
【０１０１】
［０１１３］一構成においては、第１及び第２のページングメッセージは、同じ基地局から送信することができる。他の例では、第１のページングメッセージは、第１の基地局から送信することができ、第２のページングメッセージは、第１の基地局と異なる第２の基地局から送信することができる。第１のページングメッセージは、第１の端末、例えば、Ｍ２Ｍデバイス１１５、に関する第１のページングサイクルに従って送信することができる。同様に、第２のページングメッセージは、第１の端末に関する第２のページングサイクルに従って送信することができる。一実施形態においては、第１のページングメッセージは、第１の端末に関する第１のページングサイクルに従って送信することができるが、第２のページングサイクルは、第２の端末（例えば、第２のＭ２Ｍデバイス１１５）に関する第２のページングサイクルに従って送信することができる。第２の端末は、第１の端末と異なることができる。
【０１０２】
［０１１４］従って、方法１０００は、ページングメッセージを送信するために異なるページングチャネルを用いることによってデータレートを動的に変えることによって順方向リンクでの効率的な通信を提供することができる。ページングチャネルは、ページングメッセージが受信されたことを示す応答の非受信を検出した時点で変わることができる。方法１０００は、単なる１つの実装であるにすぎないこと及び方法１０００の動作は再編するか又はその他の実装が可能であるように変更することができることが注目されるべきである。
【０１０３】
［０１１５］図１１は、ページングスロットのページングチャネルの動的な選択を通じて順方向リンク通信を管理するための方法１１００の一例を示したフローチャートである。明確化を目的として、方法１１００は、以下では、図１、２、３Ａ、４Ａ、６、又は９に示される基地局１０５を参照して説明される。一実装においては、ページングチャネル選択モジュール４４０は、以下において説明される機能を実行するために基地局１０５の機能上の要素を制御するために１つ以上の組のコードを実行することができる。
【０１０４】
［０１１６］ブロック１１０５において、第１のページングチャネルを用いて第１のデータレートでＭ２Ｍ無線ＷＡＮにおいて第１のページングメッセージを送信することができる。ブロック１１１０において、イベントの発生をモニタリングすることができる。ブロック１１１５において、イベントの発生が検出されているかどうかに関する決定を行うことができる。一実施形態においては、イベントは、Ｍ２Ｍデバイス１１５が第１のページングメッセージを成功裏に受信していることを示す応答を受信したことを含むことができる。イベントが検出されたことがブロック１１１５において決定された場合は（例えば、ページングメッセージ応答の受信）、方法１１００は、第１のページングチャネルを用いて第１のデータレートでページングメッセージを送信するのを続けるためにブロック１１０５に戻ることができる。第１のメッセージは、第１のページングサイクルに従って送信することができる。しかしながら、イベントが発生していないことがブロック１１１５において決定された場合は（例えば、ページングメッセージの応答を受信していない）、ブロック１１２０において、第１のページングメッセージは、第２のページングチャネルを用いて第２のデータレートで再送信することができる。第２のページングチャネルは、第１のページングチャネルと異なることができる。一構成においては、第１のページングメッセージに対する応答が受信されないときには、ページングサイクルを短くすることができ、短くされたページングサイクルに従ってより低いデータレートでページングメッセージを再送信することができる。
【０１０５】
［０１１７］従って、方法１１００は、ページング応答が受信されない場合にページングメッセージを送信するために使用されるデータレートを動的に変えることによって順方向リンクでの効率的な通信を提供することができる。方法１１００は、単なる１つの実装であるにすぎないこと及び方法１１００の動作は再編するか又はその他の実装が可能であるように変更することができることが注目されるべきである。
【０１０６】
［０１１８］図１２は、ページングメッセージの送信のためのページングチャネルの動的な選択を実装することによって順方向リンク通信を管理するための方法１２００の一例を示したフローチャートである。明確化を目的として、方法１２００は、以下では、図１、２、３Ａ、４Ａ、６、又は９に示される基地局１０５を参照して説明される。一実装においては、ページングチャネル選択モジュール４４０は、以下において説明される機能を実行するために基地局１０５の機能上の要素を制御するために１つ以上の組のコードを実行することができる。
【０１０７】
［０１１９］ブロック１２０５において、第１のページングチャネルを用いて第１のデータレートでＭ２Ｍ無線ＷＡＮにおいて第１のページングメッセージをＭ２Ｍデバイス１１５に送信することができる。第１のページングメッセージは、第１のページングサイクルに従って送信することができる。第１のページングメッセージは、基地局１０５から追加データを受信する準備のために、又は何らかのその他の目的のために、Ｍ２Ｍデバイス１１５がそれの状態を報告するために基地局１０５に接触する必要があることをＭ２Ｍデバイス１１５に知らせることができる。第１のページングメッセージは、順方向リンク通信でフレームのページングスロット中に送信することができる。
【０１０８】
［０１２０］ブロック１２１０において、イベントの発生をモニタリングすることができる。ブロック１２１５において、イベントの発生が検出されているかどうかに関する決定を行うことができる。一実施形態においては、イベントは、Ｍ２Ｍデバイス１１５が第１のページングメッセージを成功裏に受信したことを示す応答をＭ２Ｍデバイス１１５から受信したことを含むことができる。イベントは、状態の変化、例えば、ある時刻、ある一定の温度又はその他の環境条件、等が発生しないことであることもできる。
【０１０９】
［０１２１］イベントが検出された（例えば、ページングメッセージ応答の受信、状態変化なし、等）ことがブロック１２１５において決定された場合は、方法１２００は、第１のページングサイクルに従って第１のデータレートでページングメッセージを送信することを続けるためにブロック１２０５に戻ることができる。しかしながら、イベントが発生していない（例えば、ページングメッセージへの応答の受信なし、状態変化、等）ことがブロック１２１５において決定された場合は、第１のページングメッセージは、第２のページングチャネルを用いて第２のデータレートで再送信することができる。メッセージは、第２のページングサイクルで再送信することができ、それは、第１のページングサイクルよりも短いことができる。さらに、第２のデータレートは、第１のデータレートよりも低いことができる。
【０１１０】
［０１２２］ブロック１２２５において、第２のイベントの発生をモニタリングすることができる。第２のイベントは、ページングメッセージに対する応答の受信、予め決定された期間の満了、等を含むことができる。ブロック１２３０において、第２のイベントが検出されているかどうかに関する第２の決定が行われる。第２のイベントが検出されていないことがブロック１２３０において決定された場合は、方法１２００は、第２のページングサイクルに従って第２のデータレートでページングメッセージを再送信することを続けるために戻ることができる。しかしながら、第２のイベントが検出されていることがブロック１２３０において決定された場合は、ブロック１２３５において、第１のページングサイクルに従って第１のデータレートで追加のページングメッセージを送信することができる。
【０１１１】
［０１２３］従って、方法１２００は、イベントの発生に基づいて送信されたページングメッセージのデータレートを変更し、次に、他のイベントの発生時点でオリジナルのデータレートでメッセージを送信することに戻ることによって順方向リンクでの効率的な通信を提供することができる。方法１２００は、単なる１つの実装であるにすぎないこと及び方法１０００の動作は再編するか又はその他の実装が可能であるように変更することができることが注目されるべきである。
【０１１２】
［０１２４］ここにおいて説明される技法は、様々な無線通信システム、例えば、Ｍ２Ｍシステム、セルラー無線システム、ピア−・ツー・ピア−無線通信、無線ローカルアクセスネットワーク（ＷＬＡＮ）、アドホックネットワーク、衛星通信システム、及びその他のシステム、に関して使用することができる。用語“システム”及び“ネットワーク”は、しばしば互換可能な形で使用される。これらの無線通信システムは、無線システムにおける多元接続のための様々な無線通信技術、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）、及び／又はその他の技術、を採用することができる。概して、無線通信は、無線アクセス技術（ＲＡＴ）と呼ばれる１つ以上の無線通信技術の標準化された実装により行われる。無線アクセス技術を実装する無線通信システム又はネットワークは、無線アクセスネットワーク（ＲＡＮ）と呼ぶことができる。
【０１１３】
［０１２５］添付された図面と関係させて上述される発明を実施するための形態は、典型的な実施形態について説明するものであり、実装することができる又は請求項の範囲内にある唯一の実施形態を表すものではない。この説明全体を通じて用いられる用語“典型的な”は、“１つの例、事例、又は実例を提供すること”を意味し、その他の典型的な実施形態よりも“好ましい”又は“有利である”ことを意味するわけではない。発明を実施するための形態は、説明される技法に関する理解を提供することを目的とした具体的な詳細を含む。しかしながら、これらの技法は、これらの具体的な詳細なしで実践することができる。幾つかの例では、非常によく知られた構造及びデバイスは、説明される実施形態の概念を曖昧にすることを回避するためにブロック図形で示される。
【０１１４】
［０１２６］情報及び信号は、様々な異なる技術及び技法のうちのいずれかを用いて表すことができる。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１１５】
［０１２７］ここにおける開示と関係させて説明される様々な例示的な論理ブロック及びモジュールは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１１６】
［０１２８］説明される機能は、ハードウェア、プロセッサによって実行されるソフトウェア、ファームウェア、又はそれらの組み合わせにおいて実装することができる。プロセッサによって実行されるソフトウェアにおいて実装される場合は、これらの機能は、コンピュータによって読み取り可能な媒体において１つ以上の命令又はコードとして格納すること又は送信することができる。その他の例及び実装は、本開示及び添付される請求項の範囲及び精神内にある。例えば、ソフトウェアの性質に起因して、上述される機能は、プロセッサによって実行されるソフトウェア、ハードウェア、ファームウェア、ハードワイヤリング、又はこれらの組み合わせを用いて実装することができる。機能を実装する特徴は、様々な位置に物理的に配置することができ、機能の一部分が異なる物理的位置において実装されるように分布することを含む。さらに、請求項内を含むここにおいて使用される場合において、“〜のうちの少なくとも１つの”によって始まる項目のリストにおいて使用される“又は”は、離接的リストを示し、従って、例えば、“Ａ、Ｂ、又はＣのうちの少なくとも１つの”のリストは、Ａ又はＢ又はＣ又はＡＢ又はＡＣ又はＢＣ又はＡＢＣ（すなわち、Ａ及びＢ及びＣ）を意味する。
【０１１７】
［０１２９］コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用コンピュータ又は専用コンピュータによってアクセス可能なあらゆる利用可能な媒体であることができる。例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められる。
【０１１８】
［００４６］開示される典型的な実施形態に関する説明は、当業者が本発明を製造又は使用することを可能にするために提供される。本発明に対する様々な修正は、当業者にとって容易に明確になるであろう、及びここにおいて定められる一般原理は、本発明の精神又は適用範囲を逸脱せずにその他の変形に対しても適用することができる。以上のように、本発明は、ここにおいて示される典型的な実施形態に限定されることが意図されるものではなく、ここにおいて開示される原理及び新規の特徴に一致する限りにおいて最も広範な適用範囲が認められるべきである。
【図１】
2015533467.tif 000003
【図２】
2015533467.tif 000004
【図３Ａ】
2015533467.tif 000005
【図３Ｂ】
2015533467.tif 000006
【図４Ａ】
2015533467.tif 000007
【図４Ｂ】
2015533467.tif 000008
【図５Ａ】
2015533467.tif 000009
【図５Ｂ】
2015533467.tif 000010
【図６】
2015533467.tif 000011
【図７】
2015533467.tif 000012
【図８】
2015533467.tif 000013
【図９】
2015533467.tif 000014
【図１０】
2015533467.tif 000015
【図１１】
2015533467.tif 000016
【図１２】
2015533467.tif 000017
【国際調査報告】
2015533467.tif 000018
2015533467.tif 000019
2015533467.tif 000020